(57)【要約】  本発明の中央処理装置、中央処理方法および被監視者監視システムでは、複数のセンサ装置それぞれを介して操作受付通報通信信号が複数受信された場合であって、この複数の操作受付通報通信信号の中に同一の、操作受付装置を特定し識別するためのＩＤを収容する複数の操作受付通報通信信号が存在する場合、前記同一のＩＤを収容する複数の操作受付通報通信信号の中で最初に受信された操作受付通報通信信号に対し所定の処理が実行され、残余の操作受付通報通信信号に対し前記所定の処理は実行されない。
2017033851.tif 000002
【特許請求の範囲】
【請求項１】
所定の操作を受け付ける１または複数の操作受付装置と、前記操作受付装置と無線で通信可能に接続され、監視対象である被監視者における所定の行動を検知する複数のセンサ装置と、前記複数のセンサ装置それぞれと通信可能に接続され、前記操作受付装置で受け付けた前記所定の操作が前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムの前記中央処理装置であって、
前記所定の操作を通報するための操作受付通報通信信号を受信する通信部と、
前記通信部が受信した前記操作受付通報通信信号に基づき前記所定の処理を実行する処理部とを備え、
前記操作受付通報通信信号は、前記操作受付装置を特定し識別するための識別子である操作受付ＩＤを収容し、
前記処理部は、互いに異なる複数のセンサ装置それぞれを介して前記操作受付通報通信信号を前記通信部によって複数受信した場合であって、前記受信した複数の前記操作受付通報通信信号の中に同一の操作受付ＩＤを収容する複数の前記操作受付通報通信信号が存在する場合、前記同一の操作受付ＩＤを収容する複数の前記操作受付通報通信信号の中で最初に受信した前記操作受付通報通信信号に対し前記所定の処理を実行し、前記同一の操作受付ＩＤを収容する複数の前記操作受付通報通信信号の中の２番目以降に受信した前記操作受付通報通信信号に対し前記所定の処理を実行しない、
中央処理装置。
【請求項２】
所定の操作を受け付ける１または複数の操作受付装置と、前記操作受付装置と無線で通信可能に接続され、監視すべき監視対象である被監視者における所定の行動を検知する複数のセンサ装置と、前記複数のセンサ装置それぞれと通信可能に接続され、前記操作受付装置で受け付けた前記所定の操作を前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムの前記中央処理装置であって、
前記所定の操作を通報するための通信信号である操作受付通報通信信号は、前記操作受付装置を特定し識別するための識別子である操作受付ＩＤを収容し、
通信を行う通信部と、
前記所定の処理を実行する処理部とを備え、
前記処理部は、互いに異なる複数のセンサ装置それぞれを介して前記操作受付通報通信信号を前記通信部によって複数受信した場合であって、前記受信した複数の前記操作受付通報通信信号の中に同一の操作受付ＩＤを収容する複数の前記操作受付通報通信信号が存在する場合、前記同一の操作受付ＩＤを収容する複数の前記操作受付通報通信信号の中で最初に受信した前記操作受付通報通信信号に対し前記所定の処理を実行し、前記同一の操作受付ＩＤを収容する複数の前記操作受付通報通信信号の中の２番目以降に受信した前記操作受付通報通信信号に対し前記所定の処理を実行しない、
中央処理装置。
【請求項３】
前記同一の操作受付ＩＤを収容する複数の前記操作受付通報通信信号は、前記最初に受信した前記操作受付通報通信信号の受信時刻から所定の時間内に受信された通信信号である、
請求項１または請求項２に記載の中央処理装置。
【請求項４】
所定の操作を受け付ける１または複数の操作受付装置と、前記操作受付装置と無線で通信可能に接続され、監視対象である被監視者における所定の行動を検知する複数のセンサ装置と、前記複数のセンサ装置それぞれと通信可能に接続され、前記操作受付装置で受け付けた前記所定の操作が前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムの中央処理方法であって、
前記所定の操作を通報するための操作受付通報通信信号を受信する通信工程と、
前記通信工程で受信した前記操作受付通報通信信号に基づき前記所定の処理を実行する処理工程とを備え、
前記操作受付通報通信信号は、前記操作受付装置を特定し識別するための識別子である操作受付ＩＤを収容し、
前記処理工程は、互いに異なる複数のセンサ装置それぞれを介して前記操作受付通報通信信号を前記通信工程によって複数受信した場合であって、前記受信した複数の前記操作受付通報通信信号の中に同一の操作受付ＩＤを収容する複数の前記操作受付通報通信信号が存在する場合、前記同一の操作受付ＩＤを収容する複数の前記操作受付通報通信信号の中で最初に受信した前記操作受付通報通信信号に対し前記所定の処理を実行し、前記同一の操作受付ＩＤを収容する複数の前記操作受付通報通信信号の中の２番目以降に受信した前記操作受付通報通信信号に対し前記所定の処理を実行しない、
中央処理方法。
【請求項５】
所定の操作を受け付ける１または複数の操作受付装置と、前記操作受付装置と無線で通信可能に接続され、監視すべき監視対象である被監視者における所定の行動を検知する複数のセンサ装置と、前記複数のセンサ装置それぞれと通信可能に接続され、前記操作受付装置で受け付けた前記所定の操作を前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムの中央処理方法であって、
通信を行う通信工程と、
前記所定の処理を実行する処理工程とを備え、
前記所定の操作を通報するための通信信号である操作受付通報通信信号は、前記操作受付装置を特定し識別するための識別子である操作受付ＩＤを収容し、
前記処理工程は、互いに異なる複数のセンサ装置それぞれを介して前記操作受付通報通信信号を前記通信工程によって複数受信した場合であって、前記受信した複数の前記操作受付通報通信信号の中に同一の操作受付ＩＤを収容する複数の前記操作受付通報通信信号が存在する場合、前記同一の操作受付ＩＤを収容する複数の前記操作受付通報通信信号の中で最初に受信した前記操作受付通報通信信号に対し前記所定の処理を実行し、前記同一の操作受付ＩＤを収容する複数の前記操作受付通報通信信号の中の２番目以降に受信した前記操作受付通報通信信号に対し前記所定の処理を実行しない、
中央処理方法。
【請求項６】
所定の操作を受け付ける１または複数の操作受付装置と、前記操作受付装置と無線で通信可能に接続され、監視対象である被監視者における所定の行動を検知する複数のセンサ装置と、前記複数のセンサ装置それぞれと通信可能に接続され、前記操作受付装置で受け付けた前記所定の操作が前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムであって、
前記中央処理装置は、請求項１ないし請求項３のいずれか１項に記載の中央処理装置である、
被監視者監視システム。
【請求項７】
前記複数のセンサ装置それぞれは、
通信可能に接続される１または複数の操作受付装置の通信アドレスを記憶する記憶部と、
前記記憶部に記憶された通信アドレスの操作受付装置と通信可能か否かを判定する通信可否判定処理部と、
前記通信可否判定処理部で通信不可と判定された操作受付装置を通報するための通信不可通報通信信号を前記中央処理装置へ送信する通信不可通報処理部とを備える、
請求項６に記載の被監視者監視システム。
【請求項８】
前記複数のセンサ装置それぞれは、
通信可能か否かを判定するための通信可否判定時間を外部から取得する通信可否判定時間取得部をさらに備え、
前記記憶部は、前記通信可否判定時間取得部で取得された前記通信可否判定時間をさらに記憶し、
前記通信可否判定処理部は、前記通信可否判定時間を超えて通信可能に接続できなかった場合に、前記通信不可と判定する、
請求項７に記載の被監視者監視システム。
【発明の詳細な説明】
【技術分野】
【０００１】
本発明は、監視すべき監視対象である被監視者を複数の機器を用いて監視する被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看介護者よりもその増加が見込まれる。【０００３】
このような要看護者や要介護者は、病院や、老人福祉施設（日本の法令では老人短期入所施設、養護老人ホームおよび特別養護老人ホーム等）等の施設に入所し、その看護や介護を受ける。このような病院や老人福祉施設等の施設では、要看護者等が看護や介護を受けようとする場合に看護師や介護士を呼ぶために利用される、いわゆるナースコールシステムが一般に設けられている。【０００４】
このような技術の一つとして、例えば特許文献１に開示されたナースコールシステムがある。この特許文献１に開示されたナースコールシステムは、患者が看護師を呼び出すためにベッド毎に設置されたナースコール子機と、患者からの呼び出しに応答するためにナースステーションに設置されたナースコール親機と、患者からの呼び出しに応答するために看護師が携行する携帯端末と、前記ナースコール子機、前記ナースコール親機、前記携帯端末の間の通信を制御する制御機とを有するナースコールシステムであって、前記携帯端末に看護師ＩＤを入力するログイン機能を設けると共に、前記携帯端末のログインを認証する認証サーバを備える一方、前記制御機を複数備えて制御機毎に制御対象の前記ナースコール子機、前記ナースコール親機、及び前記携帯端末のグループが設定され、前記認証サーバは、看護師ＩＤ及び携帯端末ＩＤを登録したＩＤ情報記憶部と、携帯端末ＩＤの所属グループ及び制御機アドレスを記憶するグループ情報記憶部とを有し、ログイン操作により前記携帯端末から送信された看護師ＩＤ及び携帯端末ＩＤが、ＩＤ情報記憶部に登録されたＩＤであれば、ログインを認証して所属するグループの前記制御機のアドレス情報を前記携帯端末に返信すると共に、当該携帯端末と看護師を関連付けする一方、前記携帯端末は、各種操作を行う操作ボタンを表示する表示部と、ログイン認証を受けて入手した所属グループの制御機アドレス情報を基に、当該制御機にアクセスして所属グループの病棟情報、前記ナースコール子機情報、前記ナースコール親機情報等の所属グループ情報、更に他の制御機アドレスの情報を取得し、前記表示部に少なくとも所属グループのナースコール子機及びナースコール親機の呼出ボタンと、通信エリアを変更するために他の制御機にアクセスするエリア選択ボタンを表示する。【０００５】
前記特許文献１に開示されたナースコールシステムは、制御機ごとに制御対象のナースコール子機、ナースコール親機および携帯端末のグループが設定され、ナースコール子機は、伝送線、廊下灯および有線ＬＡＮを介して制御機に通信可能に接続されている。このため、前記特許文献１に開示されたナースコールシステムでは、ナースコール子機から送出された呼び出し信号は、１個の廊下灯２を介して制御機に送信される（例えば前記特許文献１の［００１５］段落等参照）。したがって、ナースコール子機から送出された呼び出し信号が重複して制御機に送信されることはない。【０００６】
ところで、前記伝送線に代え、無線が利用された場合、ナースコール子機１から送出された１個の呼び出し信号は、複数の廊下灯を介して制御器へ送信される可能性が生じ、この結果、前記１個の呼び出し信号に対し、制御機は、複数の呼び出し信号と誤認し、複数の呼び出し信号それぞれに対しナースコール親機へ通報してしまう虞がある。
【先行技術文献】
【特許文献】
【０００７】
【特許文献１】特開２０１５−６１２２７号公報
【発明の概要】
【０００８】
本発明は、上述の事情に鑑みて為された発明であり、その目的は、中央処理装置と操作受付装置との間の通信回線に無線を含む場合でも、操作受付装置で受け付けた１回の操作に対し重複した処理を低減できる被監視者監視システムの中央処理装置および中央処理方法ならびに前記被監視者監視システムを提供することである。
【０００９】
本発明にかかる中央処理装置、中央処理方法および被監視者監視システムでは、複数のセンサ装置それぞれを介して操作受付通報通信信号が複数受信された場合であって、この複数の操作受付通報通信信号の中に同一の、操作受付装置を特定し識別するためのＩＤを収容する複数の操作受付通報通信信号が存在する場合、前記同一のＩＤを収容する複数の操作受付通報通信信号の中で最初に受信された操作受付通報通信信号に対し所定の処理が実行され、残余の操作受付通報通信信号に対し前記所定の処理は実行されない。
【００１０】
上記並びにその他の本発明の目的、特徴及び利点は、以下の詳細な記載と添付図面から明らかになるであろう。
【図面の簡単な説明】
【００１１】
【図１】実施形態における被監視者監視システムの構成を示す図である。
【図２】前記被監視者監視システムにおけるナースコール受付操作ボタン装置およびナースコール解除操作ボタン装置の配置態様の一例を示す図である。
【図３】前記被監視者監視システムにおける管理サーバ装置の構成を示すブロック図である。
【図４】前記被監視者監視システムにおける管理サーバ装置に記憶される通報先情報テーブルの構成を示す図である。
【図５】前記被監視者監視システムにおける管理サーバ装置に記憶される通信状況情報テーブルの構成を示す図である。
【図６】前記被監視者監視システムにおける管理サーバ装置に記憶される対応関係情報テーブルの構成を示す図である。
【図７】前記被監視者監視システムにおけるセンサ装置の構成を示すブロック図である。
【図８】前記被監視者監視システムにおける操作ボタン装置の構成を示すブロック図である。
【図９】前記被監視者監視システムにおける管理サーバ装置の主にナースコールに関する動作を示すフローチャートである。
【発明を実施するための形態】
【００１２】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１３】
図１は、実施形態における被監視者監視システムの構成を示す図である。図２は、実施形態の被監視者監視システムにおけるナースコール受付操作ボタン装置およびナースコール解除操作ボタン装置の配置態様の一例を示す図である。図３は、実施形態の被監視者監視システムにおける管理サーバ装置の構成を示すブロック図である。図４は、実施形態の被監視者監視システムにおける管理サーバ装置に記憶される通報先情報テーブルの構成を示す図である。図４ＡおよびＢは、第１態様の通報先情報テーブルを示し、図４Ｃは、第２態様の通報先情報テーブルを示す。図４Ａは、前記第１態様における第１通報先情報テーブルを示し、図４Ｂは、前記第１態様における第２通報先情報テーブルを示す。図５は、実施形態の被監視者監視システムにおける管理サーバ装置に記憶される通信状況情報テーブルの構成を示す図である。図６は、実施形態の被監視者監視システムにおける管理サーバ装置に記憶される対応関係情報テーブルの構成を示す図である。図７は、実施形態の被監視者監視システムにおけるセンサ装置の構成を示すブロック図である。図８は、実施形態の被監視者監視システムにおける操作ボタン装置の構成を示すブロック図である。図８Ａは、ナースコール受付操作ボタン装置を示し、図８Ｂは、ナースコール解除操作ボタン装置を示す。
【００１４】
実施形態における被監視者監視システムは、監視すべき（見守るべき）監視対象（見守り対象）である被監視者（見守り対象者）を複数の機器を用いて監視するものであり、例えば、所定の操作を受け付ける１または複数の操作受付装置と、前記操作受付装置と無線で通信可能に接続され、監視すべき監視対象である被監視者における所定の行動を検知する複数のセンサ装置と、前記複数のセンサ装置それぞれと通信可能に接続され、前記操作受付装置で受け付けた前記所定の操作を前記センサ装置を介して通報された場合に前記所定の操作に対応する所定の処理を実行し、前記センサ装置から通報された前記被監視者における前記所定の行動に関する検知行動情報を管理する中央処理装置とを備える。本実施形態では、前記所定の操作を通報するための通信信号である操作受付通報通信信号は、前記操作受付装置を特定し識別するための識別子である操作受付ＩＤを収容し、前記中央処理装置は、通信を行う通信部と、前記所定の処理を実行する処理部とを備え、前記処理部は、互いに異なる複数のセンサ装置それぞれを介して前記操作受付通報通信信号を前記通信部によって複数受信した場合であって、前記受信した複数の前記操作受付通報通信信号の中に同一の操作受付ＩＤを収容する複数の前記操作受付通報通信信号が存在する場合、前記同一の操作受付ＩＤを収容する複数の前記操作受付通報通信信号の中で最初に受信した前記操作受付通報通信信号に対し前記所定の処理を実行し、前記同一の操作受付ＩＤを収容する複数の前記操作受付通報通信信号の中の２番目以降に受信した前記操作受付通報通信信号に対し前記所定の処理を実行しない。
【００１５】
このような被監視者監視システムにおける前記操作受付装置（操作ボタン装置、操作スイッチ装置）は、所定の機能を果たす装置であれば、任意の操作受付装置であってよい。例えば、操作受付装置は、例えば看護士や介護士等のナースを呼び出すナースコールの受付やその解除を行うための装置であって良い。また例えば、操作受付装置は、センサ装置における検知動作のスリープやその解除（すなわちアクティブ）を行うための装置であって良い。また例えば、操作受付装置は、センサ装置における検知結果の送信の停止やその解除を行うための装置であって良い。また例えば、管理サーバ装置が外部の機器（例えば携帯端末装置等）にセンサ装置の検知結果を通報（報知、再通報、転送、送信）する機能を持つ場合に、操作受付装置は、管理サーバ装置における前記通報の停止やその解除を行うための装置であって良い。
【００１６】
ここでは、一例として、操作受付装置がナースコールの受付やその解除を行うための装置である場合について説明する。すなわち、前記操作受付装置は、前記所定の操作としてナースコールを受け付ける前記ナースコール受付操作ボタン装置（ＮＣ受付操作ボタン装置）である第１操作受付装置と、前記所定の操作としてナースコールの解除を受け付けるナースコール解除操作ボタン装置（ＮＣ解除操作ボタン装置）である第２操作受付装置とを備えて成り、前記処理部は、前記ＮＣ受付操作ボタン装置で前記ナースコールを受け付けたことを通報するための通信信号であるナースコール受付通報通信信号（ＮＣ受付通報通信信号、前記操作受付通報通信信号の一例）を前記通信部で受信した場合に、前記受信したＮＣ受付通報通信信号の前記ＮＣ受付操作ボタン装置でナースコールを受け付けたことを外部に通報（再通報、転送、送信）し、前記ＮＣ解除操作ボタン装置で前記ナースコールの解除を受け付けたことを通報するための通信信号であるナースコール解除通報通信信号（ＮＣ解除通報通信信号、前記操作受付通報通信信号の一例）を前記通信部で受信した場合に、前記受信したＮＣ解除通信信号の前記ＮＣ解除操作ボタン装置に対応するＮＣ受付操作ボタン装置を前記記憶部に記憶された対応関係情報から選定し、前記選定したＮＣ受付操作ボタン装置に対応するナースコールの受付を解除する。前記対応関係情報は、ＮＣ受付操作ボタン装置とＮＣ解除操作ボタン装置とを対応付けた対応関係を表す情報であり、前記記憶部に予め記憶される。
【００１７】
より具体的には、被監視者監視システムＭＳは、例えば、図１および図２に示すように、１または複数のＮＣ受付操作ボタン装置ＮＣＲＢ（ＮＣＲＢ−１１、ＮＣＲＢ−１２、ＮＣＲＢ−２１、ＮＣＲＢ−２２、ＮＣＲＢ−３１、ＮＣＲＢ−３２、ＮＣＲＢ−４１、ＮＣＲＢ−４２）と、１または複数のＮＣ解除操作ボタン装置ＮＣＣＢと、複数のセンサ装置ＳＵ（ＳＵ−１、ＳＵ−２、ＳＵ−３、ＳＵ−４）と、管理サーバ装置ＳＶと、固定端末装置ＳＰと、１または複数の携帯端末装置ＴＡ（ＴＡ−１、ＴＡ−２）とを備える。ＮＣ受付操作ボタン装置ＮＣＲＢおよびＮＣ解除操作ボタン装置ＮＣＣＢそれぞれは、センサ装置ＳＵと無線で通信可能に接続されている。センサ装置ＳＵ、管理サーバ装置ＳＶ、固定端末装置ＳＰおよび携帯端末装置ＴＡは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続されている。ネットワークＮＷには、通信信号を中継する例えばリピーター、ブリッジ、ルーターおよびクロスコネクト等の中継機が備えられても良い。図１に示す例では、複数のＮＣ受付操作ボタン装置ＮＣＲＢ−１１〜ＮＣＲＢ−４２から受信した通信信号の内容は、センサ装置ＳＵで中継されて管理サーバ装置ＳＶへ送信され、ＮＣ解除操作ボタン装置ＮＣＣＢから受信した通信信号の内容は、センサ装置ＳＵで中継されて管理サーバ装置ＳＶへ送信される。これら複数のセンサ装置ＳＵ−１〜ＳＵ−４、管理サーバ装置ＳＶ、固定端末装置ＳＰおよび複数の携帯端末装置ＴＡ−１、ＴＡ−２は、アクセスポイントＡＰを含む無線ＬＡＮのネットワークＮＷによって互いに通信可能に接続されている。なお、図１に示す例では、ＮＣ解除操作ボタン装置ＮＣＣＢは、１個であるが、複数であって良い。
【００１８】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００１９】
ＮＣ受付操作ボタン装置ＮＣＲＢは、前記第１操作受付装置の一例（すなわち、操作受付装置の一例）に相当し、前記所定の操作（第１操作）としてナースコールを受け付ける装置であり、センサ装置ＳＵと通信可能に接続される。ＮＣ受付操作ボタン装置ＮＣＲＢは、被監視者Ｏｂ等からナースコールを受け付けると、ナースコールを受け付けた旨を表す通信信号（第１操作受付通信信号）をセンサ装置ＳＵに送信する。より具体的には、ＮＣ受付操作ボタン装置ＮＣＲＢは、例えば、図８Ａに示すように、ナースコール受付側ボタン（ＮＣボタン）３１ａと、ナースコール受付側制御処理部（ＮＣ制御処理部）３２ａと、ナースコール受付側通信インターフェース部（ＮＣ通信ＩＦ部）３３ａと、ナースコール受付側表示部（ＮＣ表示部）３４ａと、ナースコール受付側記憶部（ＮＣ記憶部３５ａ）とを備える。
【００２０】
ＮＣボタン３１ａは、ＮＣ制御処理部３２ａに接続され、ナースコールを当該ＮＣ受付操作ボタン装置ＮＣＲＢに入力するための例えば押しボタン式スイッチ等のスイッチ回路である。
【００２１】
ＮＣ通信ＩＦ部３３ａは、ＮＣ制御処理部３２ａに接続され、ＮＣ制御処理部３２ａの制御に従ってセンサ装置ＳＵとの間で無線通信するための通信回路である。ＮＣ通信ＩＦ部３３ａは、ＮＣ制御処理部３２ａから入力された転送すべきデータを収容した通信信号（例えば前記第１操作受付通信信号等）を、センサ装置ＳＵとの間で用いられる通信プロトコルに従って生成し、この生成した通信信号をセンサ装置ＳＵへ送信する。ＮＣ通信ＩＦ部３３ａは、センサ装置ＳＵから通信信号を受信し、この受信した通信信号からデータを取り出し、この取り出したデータをＮＣ制御処理部３２ａが処理可能な形式のデータに変換してＮＣ制御処理部３２ａへ出力する。ＮＣ通信ＩＦ部３３ａは、例えば、Ｂｌｕｅｔｏｏｔｈ（登録商標）規格やＩｒＤＡ（Ｉｎｆｒａｒｅｄ  Ｄａｔａ  Ａｓｓｃｏｉａｔｉｏｎ）規格等の規格を用い、外部機器との間でデータの入出力を行う通信インターフェース回路であり、本実施形態では、前記Ｂｌｕｅｔｏｏｔｈ（登録商標）規格の通信インターフェース回路である。
【００２２】
ＮＣ表示部３４ａは、ＮＣ制御処理部３２ａに接続され、ＮＣ制御処理部３２ａの制御に従ってＮＣボタン３１ａでナースコールを受け付けた旨を表示するための表示回路である。ＮＣ表示部３４ａは、例えば発光ダイオード（ＬＥＤ）およびその駆動回路等を備えたインジケータ回路である。
【００２３】
ＮＣ記憶部３５ａは、ＮＣ制御処理部３２ａに接続され、ＮＣ制御処理部３２ａの制御に従って、各種の所定のプログラムおよび各種の所定のデータを記憶する回路である。前記各種の所定のプログラムには、例えば、ＮＣ受付操作ボタン装置ＮＣＲＢの各部を当該各部の機能に応じてそれぞれ制御するＮＣ制御プログラムや、ＮＣボタン３１ａでナースコールを受け付けた場合に、例えば前記ＬＥＤを発光すること等によってナースコールを受け付けた旨をＮＣ表示部３４ａに表示し、第１操作受付通信信号を生成してＮＣ通信ＩＦ部３３ａを用いてセンサ装置ＳＵへ送信するナースコール受付操作プログラムや、ナースコールの解除を指示するための通信信号（第１操作解除通信信号）をＮＣ通信ＩＦ部３３ａで受信した場合に、例えば前記ＬＥＤを消灯すること等によってナースコールを解除（復帰）した旨をＮＣ表示部３４ａに表示するナースコール解除表示プログラム等の制御処理プログラムが含まれる。前記各種の所定のデータには、自機の、ＮＣ受付操作ボタン装置ＮＣＲＢを特定し識別するための識別子であるＮＣ受付操作ボタン識別子（ＮＣ受付操作ボタンＩＤ、操作受付ＩＤの一例）、センサ装置ＳＵの通信アドレス等の各プログラムを実行する上で必要なデータ等が含まれる。ＮＣ記憶部３５ａは、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、ＮＣ記憶部３５ａは、前記所定のプログラムの実行中に生じるデータ等を記憶するいわゆるＮＣ制御処理部３２ａのワーキングメモリとなるＲＡＭ（Ｒａｎｄｏｍ  Ａｃｃｅｓｓ  Ｍｅｍｏｒｙ）等を含む。
【００２４】
ＮＣ制御処理部３２ａは、ＮＣ受付操作ボタン装置ＮＣＲＢの各部を当該各部の機能に応じてそれぞれ制御するための回路である。ＮＣ制御処理部３２ａは、ＮＣボタン３１ａでナースコールを受け付けた場合に、例えば前記ＬＥＤを発光すること等によってナースコールを受け付けた旨をＮＣ表示部３４ａに表示し、第１操作受付通信信号を生成してＮＣ通信ＩＦ部３３ａを用いてセンサ装置ＳＵへ送信する。前記第１操作受付通信信号は、センサ装置ＳＵの通信アドレスを送信先として、ナースコールを受け付けた旨を表す情報であるナースコール受付情報、および、前記ナースコール受付情報に対応する、ナースコールを受け付けたＮＣ受付操作ボタン装置ＮＣＲＢを示す当該ＮＣ受付操作ボタン装置ＮＣＲＢのＮＣ受付操作ボタンＩＤ等を収容する。ＮＣ制御処理部３２ａは、自機宛の第１操作解除通信信号をＮＣ通信ＩＦ部３３ａで受信した場合に、例えば前記ＬＥＤを消灯すること等によってナースコールを解除した旨をＮＣ表示部３４ａに表示する。前記第１操作解除通信信号は、ナースコールの解除を指示する旨を表す情報であるナースコール解除指示情報（ナースコール解除コマンド）、および、前記ナースコール解除指示情報に対応する、ナースコールを解除させるＮＣ受付操作ボタン装置ＮＣＲＢを示す当該ＮＣ受付操作ボタン装置ＮＣＲＢのＮＣ受付操作ボタンＩＤ等を収容する。ＮＣ制御処理部３２ａは、例えば、ＣＰＵ（Ｃｅｎｔｒａｌ  Ｐｒｏｃｅｓｓｉｎｇ  Ｕｎｉｔ）およびその周辺回路を備えて構成される。
【００２５】
なお、ＮＣ制御処理部３２ａおよびＮＣ記憶部３５ａは、いわゆるワンチップマイクロコンピュータを備えて構成されても良い。
【００２６】
ＮＣ解除操作ボタン装置ＮＣＣＢは、前記第２操作受付装置の一例（すなわち、操作受付装置の一例）に相当し、前記所定の操作（第２操作）としてナースコールの解除を受け付ける装置であり、センサ装置ＳＵと通信可能に接続される。なお、このように第２操作は、前記第１操作と異なる所定の操作である。ＮＣ解除操作ボタン装置ＮＣＣＢは、監視者等からナースコールの解除を受け付けると、ナースコールの解除を受け付けた旨を表す通信信号（第２操作受付通信信号）をセンサ装置ＳＵへ送信する。より具体的には、ＮＣ解除操作ボタン装置ＮＣＣＢは、例えば、図８Ｂに示すように、ナースコール解除側ボタン（ＮＣＣボタン）３１ｂと、ナースコール解除側制御処理部（ＮＣＣ制御処理部）３２ｂと、ナースコール解除側通信インターフェース部（ＮＣＣ通信ＩＦ部）３３ｂと、ナースコール解除側記憶部（ＮＣＣ記憶部３５ｂ）とを備える。
【００２７】
ＮＣＣボタン３１ｂは、ＮＣＣ制御処理部３２ｂに接続され、ナースコールの解除を当該ＮＣ解除操作ボタン装置ＮＣＣＢに入力するための例えば押しボタン式スイッチ等のスイッチ回路である。
【００２８】
ＮＣＣ通信ＩＦ部３３ｂは、ＮＣ通信ＩＦ部３３ａと同様に、ＮＣＣ制御処理部３２ｂに接続され、ＮＣＣ制御処理部３２ｂの制御に従ってセンサ装置ＳＵとの間で無線通信するための通信回路である。
【００２９】
ＮＣＣ記憶部３５ｂは、ＮＣＣ制御処理部３２ｂに接続され、ＮＣＣ制御処理部３２ｂの制御に従って、各種の所定のプログラムおよび各種の所定のデータを記憶する回路である。前記各種の所定のプログラムには、例えば、ＮＣ解除操作ボタン装置ＮＣＣＢの各部を当該各部の機能に応じてそれぞれ制御するＮＣＣ制御プログラムや、ＮＣＣボタン３１ｂでナースコールの解除を受け付けた場合に、第２操作受付通信信号を生成してＮＣＣ通信ＩＦ部３３ｂを用いてセンサ装置ＳＵへ送信するナースコール解除操作プログラム等の制御処理プログラムが含まれる。前記各種の所定のデータには、自機の、ＮＣ解除操作ボタン装置ＮＣＣＢを特定し識別するための識別子であるＮＣ解除操作ボタン識別子（ＮＣ解除操作ボタンＩＤ、操作受付ＩＤの一例）、センサ装置ＳＵの通信アドレス等の各プログラムを実行する上で必要なデータ等が含まれる。ＮＣＣ記憶部３５ｂは、ＮＣ記憶部３５ａと同様に、例えばＲＯＭやＥＥＰＲＯＭやＲＡＭ等を含む。
【００３０】
ＮＣＣ制御処理部３２ｂは、ＮＣ解除操作ボタン装置ＮＣＣＢの各部を当該各部の機能に応じてそれぞれ制御するための回路である。ＮＣＣ制御処理部３２ｂは、ＮＣＣボタン３１ｂでナースコールの解除を受け付けた場合に、第２操作受付通信信号を生成してＮＣＣ通信ＩＦ部３３ｂを用いてセンサ装置ＳＵへ送信する。前記第２操作受付通信信号は、センサ装置ＳＵの通信アドレスを送信先として、ナースコールの解除を受け付けた旨を表す情報であるナースコール解除情報、および、前記ナースコール解除情報に対応する、ナースコールの解除を受け付けたＮＣ解除操作ボタン装置ＮＣＣＢを示す当該ＮＣ解除操作ボタン装置ＮＣＣＢのＮＣ解除操作ボタンＩＤ等を収容する。ＮＣＣ制御処理部３２ｂは、ＮＣ制御処理部３２ａと同様に、例えば、ＣＰＵおよびその周辺回路を備えて構成される。なお、ＮＣＣ制御処理部３２ｂおよびＮＣＣ記憶部３５ｂは、いわゆるワンチップマイクロコンピュータを備えて構成されても良い。
【００３１】
このようなＮＣ受付操作ボタン装置ＮＣＲＢおよびＮＣ解除操作ボタン装置ＮＣＣＢは、例えば、図２に示す配置態様で介護施設の建物に配設されている。図２には、複数の被監視者Ｏｂで１つの居室を使用するいわゆる大部屋ＲＭに、ＮＣ受付操作ボタン装置ＮＣＲＢおよびＮＣ解除操作ボタン装置ＮＣＣＢを配置した例が示されている。前記介護施設には、この図２に示すような居室が複数ある。
【００３２】
図２において、大部屋ＲＭは、４人部屋であり、４人の被監視者Ｏｂの使用を可能とするために、４個の第１ないし第４ベッドＢＤ−１〜ＢＤ−４が配置され、これら第１ないし第４ベッドＢＤ−１〜ＢＤ−４それぞれに対応するように４個の第１ないし第４洗面台ＷＳ−１〜ＷＳ−４が配置されている。そして、第１ベッドＢＤ−１を使用する被監視者Ｏｂ−１を監視するために、第１ベッドＢＤ−１の上方に第１センサ装置ＳＵ−１が配置され、この被監視者Ｏｂ−１の使用を想定して、第１１ＮＣ受付操作ボタン装置ＮＣＲＢ−１１が第１ベッドＢＤ−１の近傍に配置され、第１２ＮＣ受付操作ボタン装置ＮＣＲＢ−１２が第１洗面台ＷＳ−１の近傍に配置されている。第２ベッドＢＤ−２を使用する被監視者Ｏｂ−２を監視するために、第２ベッドＢＤ−１の上方に第２センサ装置ＳＵ−２が配置され、この被監視者Ｏｂ−２の使用を想定して、第２１ＮＣ受付操作ボタン装置ＮＣＲＢ−２１が第２ベッドＢＤ−２の近傍に配置され、第２２ＮＣ受付操作ボタン装置ＮＣＲＢ−２２が第２洗面台ＷＳ−２の近傍に配置されている。第３ベッドＢＤ−３を使用する被監視者Ｏｂ−３を監視するために、第３ベッドＢＤ−３の上方に第３センサ装置ＳＵ−３が配置され、この被監視者Ｏｂ−３の使用を想定して、第３１ＮＣ受付操作ボタン装置ＮＣＲＢ−３１が第３ベッドＢＤ−３の近傍に配置され、第３２ＮＣ受付操作ボタン装置ＮＣＲＢ−３２が第３洗面台ＷＳ−３の近傍に配置されている。第４ベッドＢＤ−４を使用する被監視者Ｏｂ−４を監視するために、第４ベッドＢＤ−１の上方に第４センサ装置ＳＵ−４が配置され、この被監視者Ｏｂ−４の使用を想定して、第４１ＮＣ受付操作ボタン装置ＮＣＲＢ−４１が第４ベッドＢＤ−４の近傍に配置され、第４２ＮＣ受付操作ボタン装置ＮＣＲＢ−４２が第４洗面台ＷＳ−４の近傍に配置されている。そして、この大部屋ＲＭの出入り口ＥＥの付近に、ＮＣ解除操作ボタン装置ＮＣＣＢが配置されている。
【００３３】
センサ装置ＳＵは、監視すべき監視対象である被監視者Ｏｂにおける、予め設定された所定の行動を検知し、前記所定の行動を検知した場合に、その検知結果を管理サーバ装置ＳＶへ通報（報知）する装置である。センサ装置ＳＵは、本実施形態では、ＮＣ受付操作ボタン装置ＮＣＲＢおよびＮＣ解除操作ボタン装置ＮＣＣＢそれぞれと無線で通信可能に接続されるとともに、管理サーバ装置ＳＶと通信可能に接続され、ＮＣ受付操作ボタン装置ＮＣＲＢおよびＮＣ解除操作ボタン装置ＮＣＣＢそれぞれと管理サーバ装置ＳＶとの間における通信内容を中継する。より具体的には、センサ装置ＳＵは、例えば、図７に示すように、センサ部２１と、音入出力部２２と、センサ側制御処理部（ＳＵ制御処理部）２３と、センサ側通信インターフェース部（ＳＵ通信ＩＦ部）２４と、センサ側記憶部（ＳＵ記憶部）２５とを備える。
【００３４】
センサ部２１は、ＳＵ制御処理部２３に接続され、被監視者Ｏｂにおける所定の行動を検知するために、ＳＵ制御処理部２３の制御に従って被監視者Ｏｂをセンシングするための装置である。センサ部２１には、前記所定の行動の種類およびその検知方法に応じた適宜な種類の装置が用いられる。例えば、前記所定の行動が離床および転倒であり、これら離床および転倒を画像から判定する場合には、センサ部２１は、画像（画像データ）を生成するカメラ等を備えて構成される。
【００３５】
音入出力部２２は、ＳＵ制御処理部２３に接続され、外部の音を取得してセンサ装置ＳＵに入力するための回路であって、ＳＵ制御処理部２３の制御に従って音を表す電気信号に応じた音を生成して出力するための回路である。音入出力部２２は、例えば、音の音響振動を電気信号に変換するマイクロホン等と、音の電気信号を音の音響振動に変換するスピーカ等とを備えて構成される。音入出力部２２は、外部の音を表す電気信号をＳＵ制御処理部２３へ出力し、ＳＵ制御処理部２３から入力された電気信号を音の音響振動に変換して出力する。
【００３６】
ＳＵ通信ＩＦ部２４は、ＳＵ制御処理部２３に接続され、ＳＵ制御処理部２３の制御に従って通信を行うための通信回路である。ＳＵ通信ＩＦ部２４は、ＮＣ受付操作ボタン装置ＮＣＲＢおよびＮＣ解除操作ボタン装置ＮＣＣＢそれぞれと通信を行うためのＮＣ用通信回路（例えば前記Ｂｌｕｅｔｏｏｔｈ（登録商標）規格等に従った通信インターフェース回路）と、管理サーバ装置ＳＶ、固定端末装置ＳＰおよび携帯端末装置ＴＡそれぞれと通信を行うための他装置用通信回路（例えばＩＥＥＥ８０２．１１規格等に従った通信インターフェース回路）とを備える。
【００３７】
ＳＵ記憶部２５は、ＳＵ制御処理部２３に接続され、ＳＵ制御処理部２３の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、センサ部２１のセンシング結果に基づいて被監視者Ｏｂにおける所定の行動を検知する行動検知処理プログラムや、ナースコールに関する所定の処理を実行するナースコール処理プログラム等の制御処理プログラムが含まれる。前記ナースコール処理プログラムには、例えば、ＮＣ受付操作ボタン装置ＮＣＲＢおよびＮＣ解除操作ボタン装置ＮＣＣＢと管理サーバ装置ＳＶとの間で通信内容を中継する中継処理プログラムや、固定端末装置ＳＰまたは携帯端末装置ＴＡとの間で音声通話を行う通話処理プログラム等が含まれる。前記各種の所定のデータには、センサ装置ＳＵを特定し識別するための識別子であるセンサ装置識別子（センサＩＤ）、管理サーバ装置ＳＶの通信アドレス等の各プログラムを実行する上で必要なデータ等が含まれる。ＳＵ記憶部２５は、ＮＣ記憶部３５ａと同様に、例えばＲＯＭやＥＥＰＲＯＭやＲＡＭ等を含む。
【００３８】
ＳＵ制御処理部２３は、センサ装置ＳＵの各部を当該各部の機能に応じてそれぞれ制御し、ナースコールに関する所定の処理を実行し、被監視者Ｏｂにおける予め設定された所定の行動を検知するための回路である。ＳＵ制御処理部２３は、例えば、ＣＰＵおよびその周辺回路を備えて構成される。ＳＵ制御処理部２３は、前記制御処理プログラムが実行されることによって、センサ側制御部（ＳＵ制御部）２３１、行動検知処理部２３２およびナースコール処理部（ナースコール処理部）２３３を機能的に備える。
【００３９】
ＳＵ制御部２３１は、センサ装置ＳＵの各部を当該各部の機能に応じてそれぞれ制御し、センサ装置ＳＵの全体制御を司るものである。
【００４０】
行動検知処理部２３２は、センサ部１１のセンシング結果に基づいて被監視者Ｏｂにおける、予め設定された所定の行動を検知するものであり、前記所定の行動を検知した場合に、前記所定の行動を検知した旨を表す通信信号（行動検知通信信号）を管理サーバ装置ＳＶへ送信するものである。前記行動検知通信信号は、前記検知した所定の行動（検知結果）およびセンサＩＤ等を収容する。上述の例では、行動検知処理部２３２は、センサ部２１から出力された画像から離床および転倒が判定される。より具体的には、例えば、画像中における例えばベッド等の寝具の領域がＳＵ記憶部２５に予め記憶され、行動検知処理部２３２は、例えば背景差分法やフレーム差分法によって動体領域を人物領域として抽出し、この抽出した動体領域（人物領域）が寝具の領域から外れた場合に離床と判定し、この抽出した動体領域（人物領域）が寝具の領域外であって頭部の高さが床面上の高さに相当する場合に転倒と判定する。頭部は、動体領域（人物領域）から、例えば頭部のパターンマッチングや円形を抽出するハフ変換等を用いて抽出される。
【００４１】
ナースコール処理部２３３は、ナースコールに関する所定の処理を実行するものである。より具体的には、ナースコール処理部２３３は、ＮＣ受付操作ボタン装置ＮＣＲＢおよびＮＣ解除操作ボタン装置ＮＣＣＢと管理サーバ装置ＳＶとの間で通信内容を中継する。より詳しくは、ナースコール処理部２３３は、ＮＣ受付操作ボタン装置ＮＣＲＢから前記第１操作受付通信信号を受信すると、この受信した第１操作受付通信信号の通信内容、すなわち、ナースコールを受け付けた旨を表す情報である前記ナースコール受付情報、および、前記ナースコール受付情報に対応する、ナースコールを受け付けたＮＣ受付操作ボタン装置ＮＣＲＢを示す当該ＮＣ受付操作ボタン装置ＮＣＲＢのＮＣ受付操作ボタンＩＤ等を収容した通信信号（第１操作受付中継通信信号、前記操作受付通報通信信号の一例であって前記ナースコール受付通報通信信号の一例）を、当該センサ装置ＳＵを送信元とすると共に管理サーバ装置ＳＶを送信先として、ＳＵ通信ＩＦ部２４によって送信する。ナースコール処理部２３３は、ＮＣ解除操作ボタン装置ＮＣＣＢから前記第２操作受付通信信号を受信すると、この受信した第２操作受付通信信号の通信内容、すなわち、ナースコールの解除を受け付けた旨を表す情報である前記ナースコール解除情報、および、前記ナースコール解除情報に対応する、ナースコールの解除を受け付けたＮＣ解除操作ボタン装置ＮＣＣＢを示す当該ＮＣ解除操作ボタン装置ＮＣＣＢのＮＣ解除操作ボタンＩＤ等を収容した通信信号（第２操作受付中継通信信号、前記操作受付通報通信信号の一例であって前記ナースコール解除通信信号の一例）を、当該センサ装置ＳＵを送信元とすると共に管理サーバ装置ＳＶを送信先として、ＳＵ通信ＩＦ部２４によって送信する。ナースコール処理部２３３は、管理サーバ装置ＳＶから、ナースコールの解除を指示するための通信信号（第１操作解除通報通信信号）を受信すると、この受信した第１操作解除通報通信信号の通信内容、すなわち、ナースコールの解除を指示する旨を表す情報であるナースコール解除指示情報、および、前記ナースコール解除指示情報に対応する、ナースコールを解除させるＮＣ受付操作ボタン装置ＮＣＲＢを示す当該ＮＣ受付操作ボタン装置ＮＣＲＢのＮＣ受付操作ボタンＩＤ等を収容した前記第１操作解除通信信号をＳＵ通信ＩＦ部２４によって送信する。そして、ナースコール処理部２３３は、固定端末装置ＳＰまたは携帯端末装置ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行うものである。
【００４２】
管理サーバ装置ＳＶは、中央処理装置の一例に相当し、ネットワークＮＷを介して他の装置ＳＵ、ＳＰ、ＴＡと通信する通信機能を備え、センサ装置ＳＵから前記行動検知通信信号を受信して被監視者Ｏｂにおける所定の行動に関する情報（検知行動情報）を管理する機器である。管理サーバ装置ＳＶは、センサ装置ＳＵから前記行動検知通信信号を受信すると、被監視者Ｏｂに対する前記検知行動情報（例えば所定の行動の種類（上述の例では離床、転倒）、前記所定の行動を検知したセンサ装置ＳＵのセンサＩＤ、および、前記所定の行動を検知した時刻（または前記行動検知通信信号の受信時刻等）を記憶（記録）し、そして、被監視者Ｏｂに対する前記検知行動情報等を収容した通信信号（検知行動通報通信信号）を所定の固定端末装置ＳＰおよび携帯端末装置ＴＡに送信する。管理サーバ装置ＳＶは、クライアント（本実施形態では固定端末装置ＳＰおよび携帯端末装置ＴＡ等）の要求に応じたデータを前記クライアントに提供する。そして、本実施形態では、ＮＣ受付操作ボタン装置ＮＣＲＢおよびＮＣ解除操作ボタン装置ＮＣＣＢそれぞれの通信内容がセンサ装置ＳＵによって管理サーバ装置ＳＶへ中継される。管理サーバ装置ＳＶは、ＮＣ受付操作ボタン装置ＮＣＲＢでナースコールを受け付けた旨が通報されると、後述するように、ナースコールの受付に対応する所定のナースコール受付処理（前記所定の処理（第１処理）の一例に相当）を実行し、前記第２操作受付中継通信信号によってＮＣ解除操作ボタン装置ＮＣＣＢでナースコールの解除を受け付けた旨が通報されると、後述するように、ナースコールの解除に対応する所定のナースコール解除処理（前記所定の処理（第２処理）の一例に相当）を実行する。より具体的には、管理サーバ装置ＳＶは、例えば、図３に示すように、サーバ側通信インターフェース部（ＳＶ通信ＩＦ部）１１と、サーバ側制御処理部（ＳＶ制御処理部）１２と、サーバ側記憶部（ＳＶ記憶部）１３とを備える。
【００４３】
ＳＶ通信ＩＦ部１１は、ＳＶ制御処理部１２に接続され、ＳＶ制御処理部１２の制御に従って通信を行うための通信回路である。ＳＶ通信ＩＦ部１１は、例えば、ＩＥＥＥ８０２．１１規格等に従った通信インターフェース回路を備えて構成される。
【００４４】
ＳＶ記憶部１３は、ＳＶ制御処理部１２に接続され、ＳＶ制御処理部１２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の処理を実行するＳＶ監視処理プログラム等の制御処理プログラムが含まれる。前記ＳＶ監視処理プログラムには、例えば、センサ装置ＳＵから前記行動検知通信信号を受信した場合に、被監視者Ｏｂに対する前記検知行動情報を記憶（記録）し、前記検知行動通報通信信号を所定の固定端末装置ＳＰおよび携帯端末装置ＴＡに送信する検知行動記録通報プログラムや、センサ装置ＳＵから前記第１操作受付中継通信信号を受信した場合に、前記ナースコール受付処理を実行するナースコール受付処理プログラムや、センサ装置ＳＵから前記第２操作受付中継通信信号を受信した場合に、前記ナースコール解除処理を実行するナースコール解除処理プログラム等が含まれる。前記各種の所定のデータには、同一のＮＣ受付操作ボタンＩＤを収容する複数の第１操作受付中継通信信号（第１操作受付通信信号）を受信した場合に、最初に受信した前記第１操作受付中継通信信号の受信時刻から所定の時間（所定の第１時間）内に受信された通信信号であるか否かを判定するための前記所定の第１時間や、同一のＮＣ解除操作ボタンＩＤを収容する複数の第２操作受付中継通信信号（第２操作受付通信信号）を受信した場合に、最初に受信した前記第２操作受付中継通信信号の受信時刻から所定の時間（所定の第２時間）内に受信された通信信号であるか否かを判定するための前記所定の第２時間や、前記検知行動通報通信信号の通報先やナースコールの通報先を表す通報先情報や、前記第１および第２操作受付中継通信信号それぞれの通信状況（すなわち、前記第１操作受付中継通信信号によって中継された前記第１操作受付通信信号および前記第２操作受付中継通信信号によって中継された前記第２操作受付通信信号それぞれの通信状況）を記録した情報である通信状況情報や、ＮＣ受付操作ボタン装置ＮＣＲＢとＮＣ解除操作ボタン装置ＮＣＣＢとの対応関係を表す対応関係情報等の各プログラムを実行する上で必要なデータ等が含まれる。これら通報先情報、通信状況情報および対応関係情報を記憶するために、ＳＶ記憶部１３は、通報先情報記憶部１３１、通信状況情報記憶部１３２および対応関係情報記憶部１３３を機能的に備える。
【００４５】
通報先情報記憶部１３１は、前記通報先情報を記憶するものである。前記通報先情報は、より具体的には、前記行動検知通信信号を送信した送信元のセンサ装置ＳＵと、前記行動検知通信信号に応じて前記検知行動通報通信信号を通報すべき通報先の端末装置（固定端末装置ＳＰ、携帯端末装置ＴＡ）との対応関係を表す第１通報先情報と、前記第１操作受付中継通信信号に収容されたＮＣ受付操作ボタンＩＤによって表された前記第１操作受付通信信号の送信元のＮＣ受付操作ボタン装置ＮＣＲＢ（すなわち、センサ装置ＳＵを介した前記第１操作受付中継通信信号によって中継された前記第１操作受付通信信号の送信元のＮＣ受付操作ボタン装置ＮＣＲＢ）と、前記第１操作受付中継通信信号に応じて、ナースコールを受け付けた旨を端末装置ＳＰ、ＴＡへ通報するための通信信号（ナースコール通報通信信号（ＮＣ通報通信信号））を通報すべき通報先の端末装置ＳＰ、ＴＡとの前記対応関係を表す第２通報先情報とを備えて成る。このような通報先情報は、本実施形態では、テーブル形式で通報先情報記憶部１３１に記憶されている。より詳しくは、前記第１通報先情報を登録する第１通報先情報テーブル１３１０ａは、例えば、図４Ａに示すように、前記行動検知通信信号を送信した送信元のセンサ装置ＳＵのセンサＩＤを登録する通報元フィールド１３１１と、通報元フィールド１３１１に登録されたセンサＩＤに対応するセンサ装置ＳＵから前記行動検知通信信号を受信した場合に、それに対応する前記検知行動通報通信信号を通報すべき通報先の端末装置ＳＰ、ＴＡの端末識別子（端末ＩＤ）を登録する通報先フィールド１３１２とを備え、センサ装置ＳＵごとにレコードを備える。前記端末ＩＤは、端末装置ＳＰ、ＴＡを特定し識別するための識別子である。前記第２通報先情報を登録する第２通報先情報テーブル１３１０ｂは、例えば、図４Ｂに示すように、前記第１操作受付中継通信信号に収容されたＮＣ受付操作ボタンＩＤ（すなわち、センサ装置ＳＵを介した前記第１操作受付中継通信信号によって中継された前記第１操作受付通信信号の送信元であるＮＣ受付操作ボタン装置ＮＣＲＢのＮＣ受付操作ボタンＩＤ）を登録する通報元フィールド１３１３と、通報元フィールド１３１３に登録されたＮＣ受付操作ボタンＩＤに対応するＮＣ受付操作ボタン装置ＮＣＲＢについて、センサ装置ＳＵから前記第１操作受付通信信号を中継した前記第１操作受付中継通信信号を受信した場合に、それに対応するＮＣ通報通信信号を通報すべき通報先の端末装置ＳＰ、ＴＡの端末ＩＤを登録する通報先フィールド１３１４とを備え、ＮＣ受付操作ボタン装置ＮＣＲＢごとにレコードを備える。
【００４６】
なお、本実施形態では、通報先情報記憶部１３１は、第１および第２通報先情報テーブル１３１０ａ、１３１０ｂを記憶したが、図４Ｃに示すように、通報元フィールド１３１１および通報元フィールド１３１３を１つに纏めることによって第１および第２通報先情報テーブル１３１０ａ、１３１０ｂを１つに纏めた通報先情報テーブル１３１０ｃを記憶しても良い。この図４Ｃに示す通報先情報テーブル１３１０ｃは、前記行動検知通信信号を送信した送信元のセンサ装置ＳＵのセンサＩＤ、および、前記第１操作受付中継通信信号に収容されたＮＣ受付操作ボタンＩＤ（すなわち、センサ装置ＳＵを介した前記第１操作受付中継通信信号によって中継された前記第１操作受付通信信号の送信元であるＮＣ受付操作ボタン装置ＮＣＲＢのＮＣ受付操作ボタンＩＤ）を登録する通報元フィールド１３１５と、通報元フィールド１３１５に登録されたセンサＩＤに対応するセンサ装置ＳＵから前記行動検知通信信号を受信した場合や、通報元フィールド１３１５に登録されたＮＣ受付操作ボタンＩＤに対応するＮＣ受付操作ボタン装置ＮＣＲＢについて、センサ装置ＳＵから前記第１操作受付通信信号を中継した前記第１操作受付中継通信信号を受信した場合に、それに対応する前記検知行動通報通信信号やＮＣ通報通信信号を通報すべき通報先の端末装置ＳＰ、ＴＡの端末ＩＤを登録する通報先フィールド１３１６とを備え、センサ装置ＳＵ等ごとにレコードを備える。
【００４７】
通信状況情報記憶部１３２は、前記通信状況情報を記憶するものである。前記通信状況情報は、本実施形態では、テーブル形式で通信状況情報記憶部１３２に記憶されている。この通信状況情報を登録する通信状況情報テーブル１３２０は、例えば、図５に示すように、前記第１操作受付中継通信信号に収容されたＮＣ受付操作ボタンＩＤ（すなわち、センサ装置ＳＵを介した前記第１操作受付中継通信信号によって中継された前記第１操作受付通信信号の送信元であるＮＣ受付操作ボタン装置ＮＣＲＢのＮＣ受付操作ボタンＩＤ）、および、前記第２操作受付中継通信信号に収容されたＮＣ解除操作ボタンＩＤ（すなわち、センサ装置ＳＵを介した前記第２操作受付中継通信信号によって中継された前記第２操作受付通信信号の送信元であるＮＣ解除操作ボタン装置ＮＣＣＢのＮＣ解除操作ボタンＩＤ）を登録する操作受付フィールド１３２１と、前記操作受付フィールド１３２１に登録されたＮＣ受付操作ボタンＩＤやＮＣ解除操作ボタンＩＤに対応する前記第１操作受付中継通信信号（前記第１操作受付通信信号）や前記第２操作受付中継通信信号（前記第２操作受付通信信号）の受信時刻を登録する受信時刻フィールド１３２２と、前記操作受付フィールド１３２１に登録されたＮＣ受付操作ボタンＩＤやＮＣ解除操作ボタンＩＤに対応して後述のように設けられたタイマーの状況（計時中か、タイムアップか）を登録するタイマー状況フィールド１３２３とを備え、前記第１操作受付中継通信信号（前記第１操作受付通信信号）や前記第２操作受付中継通信信号（前記第２操作受付通信信号）の受信ごとにレコードを備える。タイマー状況フィールド１３２３には、前記タイマーの状況を表すタイマー状況情報を示すフラグが登録される。例えば、本実施形態では、タイマー状況フィールド１３２３には、前記タイマーが計時中であることを意味するフラグ「０」、あるいは、前記タイマーがタイムアップしたこと（計時の終了）を意味するフラグ「１」が登録される。
【００４８】
対応関係情報記憶部１３３は、前記対応関係情報を記憶するものである。前記対応関係情報は、本実施形態では、テーブル形式で対応関係情報記憶部１３３に記憶されている。この対応関係情報を登録する対応関係情報テーブル１３３０は、例えば、図６に示すように、ＮＣ解除操作ボタン装置ＮＣＣＢのＮＣ解除操作ボタンＩＤを登録するＮＣ解除操作ボタンフィールド１３３１と、前記ＮＣ解除操作ボタンフィールド１３３１に登録されたＮＣ解除操作ボタンＩＤに対応するＮＣ解除操作ボタン装置ＮＣＣＢに対応付けられた、ＮＣ受付操作ボタン装置ＮＣＲＢの１または複数のＮＣ受付操作ボタンＩＤを登録するＮＣ受付操作ボタンフィールド１３３２とを備え、ＮＣ解除操作ボタン装置ＮＣＣＢごとにレコードを備える。
【００４９】
このようなＳＶ記憶部１３は、ＮＣ記憶部３５ａと同様に、例えばＲＯＭやＥＥＰＲＯＭやＲＡＭ等を含む。
【００５０】
ＳＶ制御処理部１２は、管理サーバ装置ＳＶの各部を当該各部の機能に応じてそれぞれ制御し、ナースコール受付処理を実行し、ナースコール解除処理を実行し、被監視者Ｏｂに対する監視に関する所定の処理を実行するための回路である。ＳＶ制御処理部１２は、例えば、ＣＰＵおよびその周辺回路を備えて構成される。ＳＶ制御処理部１２は、前記制御処理プログラムが実行されることによって、サーバ側制御部（ＳＶ制御部）１２１およびサーバ側監視処理部（ＳＶ監視処理部）１２２を機能的に備える。
【００５１】
ＳＶ制御部１２１は、管理サーバ装置ＳＶの各部を当該各部の機能に応じてそれぞれ制御し、管理サーバ装置ＳＶの全体制御を司るものである。
【００５２】
ＳＶ監視処理部１２２は、センサ装置ＳＵから前記行動検知通信信号を受信した場合に、被監視者Ｏｂに対する前記検知行動情報を記憶（記録）し、前記行動検知通信信号を送信したセンサ装置ＳＵに対応する通報先を通報先情報記憶部１３１の第１通報先情報テーブル１３１０ａから選定（検索）し、この選定した端末装置ＳＰ、ＴＡへ前記検知行動通報通信信号を送信するものである。
【００５３】
ＳＶ監視処理部１２２は、センサ装置ＳＵを介して前記第１操作受付通信信号を中継した、ＮＣ受付操作ボタン装置ＮＣＲＢでナースコールを受け付けた旨を表す第１操作受付中継通信信号をＳＶ通信ＩＦ部１１で受信した場合に、ナースコール受付処理の１つとして、この受信した第１操作受付中継通信信号のＮＣ受付操作ボタン装置ＮＣＲＢでナースコールを受け付けた旨を外部の所定の固定端末装置ＳＰおよび携帯端末装置ＴＡに通報し、センサ装置ＳＵを介して前記第２操作受付通信信号を中継した、ＮＣ解除操作ボタン装置ＮＣＣＢでナースコールの解除を受け付けた旨を表す第２操作受付中継通信信号をＳＶ通信ＩＦ部１１で受信した場合に、ナースコール解除処理の１つとして、この受信した第２操作受付中継通信信号のＮＣ解除操作ボタン装置ＮＣＣＢに対応するＮＣ受付操作ボタン装置ＮＣＲＢをＳＶ記憶部１３に記憶された対応関係情報から選定し、この選定したＮＣ受付操作ボタン装置ＮＣＣＢに対応するナースコールの受付を解除する。より詳しくは、前記ナースコール受付処理は、前記第１操作受付中継通信信号に収容されたＮＣ受付操作ボタンＩＤを持つＮＣ受付操作ボタン装置ＮＣＲＢ（すなわち、センサ装置ＳＵを介した第１操作受付中継通信信号によって中継された、第１操作受付通信信号の送信元のＮＣ受付操作ボタン装置ＮＣＲＢ）に対応する通報先を通報先情報記憶部１３１の第２通報先情報テーブル１３１０ｂから選定（検索）し、この選定した端末装置ＳＰ、ＴＡへ前記ＮＣ通報通信信号を送信する処理である。前記ナースコール解除処理は、前記第２操作受付中継通信信号に収容されたＮＣ解除操作ボタンＩＤを持つＮＣ解除操作ボタン装置ＮＣＣＢ（すなわち、センサ装置ＳＵを介した第２操作受付中継通信信号によって中継された、第２操作受付通信信号の送信元のＮＣ解除操作ボタン装置ＮＣＣＢ）に対応するＮＣ受付操作ボタン装置ＮＣＲＢを対応関係情報記憶部１３３の対応関係情報テーブル１３３０から選定（検索）し、この選定したＮＣ受付操作ボタン装置ＮＣＲＢのＮＣ受付操作ボタンＩＤを収容した前記第１操作解除通報通信信号をセンサ装置ＳＵへ送信する処理である。センサ装置ＳＵは、この第１操作解除通報通信信号を受信すると、上述したように、前記第１操作解除通信信号をＳＵ通信ＩＦ部２４によって送信する。
【００５４】
これら第１および第２操作受付中継通信信号（第１および第２操作受付通信信号）それぞれを受信する際に、ＳＶ監視処理部１２２は、本実施形態では、互いに異なる複数のセンサ装置ＳＵそれぞれを介して第１操作受付中継通信信号（第１操作受付通信信号）をＳＶ通信ＩＦ部１１によって複数受信した場合であって、これら受信した複数の第１操作受付中継通信信号の中に同一のＮＣ受付操作ＩＤを収容する複数の第１操作受付中継通信信号が存在する場合、前記同一のＮＣ受付操作ＩＤを収容する複数の第１操作受付中継通信信号の中で最初に受信した第１操作受付中継通信信号に対し上述のナースコール受付処理を実行し、前記同一のＮＣ受付操作ＩＤを収容する複数の第１操作受付中継通信信号の中の２番目以降に受信した第１操作受付中継通信信号に対し前記ナースコール受付処理を実行せず、互いに異なる複数のセンサ装置ＳＵそれぞれを介して第２操作受付中継通信信号（第２操作受付通信信号）をＳＶ通信ＩＦ部１１によって複数受信した場合であって、これら受信した複数の第２操作受付中継通信信号の中に同一のＮＣ解除操作ＩＤを収容する複数の第２操作受付中継通信信号が存在する場合、前記同一のＮＣ解除操作ＩＤを収容する複数の第２操作受付中継通信信号の中で最初に受信した第２操作受付中継通信信号に対し上述のナースコール解除処理を実行し、前記同一のＮＣ受付操作ＩＤを収容する複数の第２操作受付中継通信信号の中の２番目以降に受信した第２操作受付中継通信信号に対し前記ナースコール解除処理を実行しない。
【００５５】
前記同一のＮＣ受付操作ＩＤを収容する複数の第１操作受付中継通信信号は、最初に受信した第１操作受付中継通信信号の受信時刻から前記所定の第１時間内に受信された通信信号であり、前記同一のＮＣ解除操作ＩＤを収容する複数の第２操作受付中継通信信号は、最初に受信した第２操作受付中継通信信号の受信時刻から前記所定の第２時間内に受信された通信信号である。これら前記所定の第１時間と前記所定の第２時間とは、同一であって良く、また異なって良い。この処理を実行するために、ＳＶ監視処理部１２２は、ＮＣ受付操作ボタンＩＤごとに（ＮＣ受付操作ボタン装置ＮＣＲＢごとに）、最初に第１操作受付中継通信信号を受信すると、前記所定の第１時間の経過を測るタイマーを形成してリスタートし（０から計時を始め）、ＮＣ解除操作ボタンＩＤごとに（ＮＣ解除操作ボタン装置ＮＣＣＢごとに）、最初に第２操作受付中継通信信号を受信すると、前記所定の第２時間の経過を測るタイマーを形成してリスタートする（０から計時を始める）。
【００５６】
なお、管理サーバ装置ＳＶは、図３に破線で示すように、必要に応じて、さらに、ＳＶ制御処理部１２に接続され例えば各種コマンドや各種データ等を入力するサーバ側入力部（ＳＶ入力部）１４、ＳＶ入力部１４で入力された各種コマンドや各種データおよび被監視者Ｏｂに対する検知行動情報等を出力するサーバ側出力部（ＳＶ出力部）１５、および、外部機器との間でデータの入出力を行うサーバ側インターフェース部（ＳＶＩＦ部）１６等を備えても良い。
【００５７】
このような管理サーバ装置ＳＶは、例えば、通信機能付きのコンピュータによって構成可能である。
【００５８】
なお、上述のＮＣ受付操作ボタンＩＤ、ＮＣ解除操作ボタンＩＤ、センサＩＤおよび端末ＩＤは、例えば、シリアル番号や通信アドレス等であって良い。
【００５９】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた検知行動情報を表示したり等することによって、被監視者監視システムＭＳのユーザインターフェース（ＵＩ）として機能する機器である。このような固定端末装置ＳＰは、例えば、通信機能付きのコンピュータによって構成可能である。
【００６０】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通報によってセンサ装置ＳＵで得られた検知行動情報を表示したり、管理サーバ装置ＳＶからの通報によってセンサ装置ＳＵとの間で音声通話したり等することによって、被監視者Ｏｂに対する前記検知行動情報を受け付けて表示し、ナースコールに応答するための機器である。このような携帯端末装置ＴＡは、例えば、いわゆるタブレット型コンピュータやスマートフォンや携帯電話機等の、持ち運び可能な通信端末装置によって構成可能である。
【００６１】
次に、本実施形態の動作について説明する。このような構成の被監視者監視システムＭＳでは、各装置ＮＣＲＢ、ＮＣＣＢ、ＳＵ、ＳＶ、ＳＰ、ＴＡは、電源が投入されると、必要な各部の初期化を実行し、その稼働を始める。管理サーバ装置ＳＶでは、その制御処理プログラムの実行によって、ＳＶ制御処理部１２には、ＳＶ制御部１２１およびＳＶ監視処理部１２２が機能的に構成される。センサ装置ＳＵでは、その制御処理プログラムの実行によって、ＳＵ制御処理部２３には、ＳＵ制御部２３１、行動検知処理部２３２およびナースコール処理部２３３が機能的に構成される。
【００６２】
上記構成の被監視者監視システムＭＳは、大略、次の動作によって、各被監視者Ｏｂそれぞれを監視している。センサ装置ＳＵは、行動検知処理部２３２によって、センサ部１１のセンシング結果に基づいて被監視者Ｏｂにおける所定の行動を検知し、前記所定の行動を検知した場合に、前記行動検知通信信号を管理サーバ装置ＳＶへ送信する。
【００６３】
管理サーバ装置ＳＶは、前記行動検知通信信号をセンサ装置ＳＵから受信すると、この行動検知通信信号に収容された被監視者Ｏｂに対する前記検知行動情報を記憶（記録）し、前記行動検知通信信号を送信したセンサ装置ＳＵに対応する通報先を通報先情報記憶部１３１の第１通報先情報テーブル１３１０ａから選定（検索）し、この選定した端末装置ＳＰ、ＴＡへ前記検知行動通報通信信号を送信する。これによって被監視者Ｏｂにおける所定の行動が端末装置ＳＰ、ＴＡを介して例えば看護師や介護士等の監視者に報知される。
【００６４】
固定端末装置ＳＰおよび携帯端末装置ＴＡは、前記検知行動通報通信信号を管理サーバ装置ＳＶから受信すると、この検知行動通報通信信号に収容された前記検知行動情報を表示する。このような動作によって、被監視者監視システムＭＳは、各センサ装置ＳＵ、管理サーバ装置ＳＶ、固定端末装置ＳＰおよび携帯端末装置ＴＡによって、大略、各被監視者Ｏｂにおける所定の行動を検知して各被監視者Ｏｂを監視している。
【００６５】
次に、被監視者監視システムＭＳにおける、ナースコールの動作について、主に、説明する。図９は、実施形態の被監視者監視システムにおける管理サーバ装置の主にナースコールに関する動作を示すフローチャートである。
【００６６】
本実施形態における被監視者監視システムＭＳでは、例えば被監視者Ｏｂ等によるＮＣボタン３１ａに対する入力操作によって、ＮＣボタン３１ａでナースコールを受け付けると、ＮＣ受付操作ボタン装置ＮＣＲＢは、ＮＣ制御処理部３２ａによって、ＮＣ表示部３４ａにナースコールを受け付けた旨を表示し、自機のＮＣ受付操作ボタンＩＤ等を収容した前記第１操作受付通信信号を生成してＮＣ通信ＩＦ部３３ａを用いてセンサ装置ＳＵへ送信する。そして、この第１操作受付通信信号を受信したセンサ装置ＳＵは、この受信した第１操作受付通信信号に収容されたＮＣ受付操作ボタンＩＤ等を収容した第１操作受付中継通信信号をＳＵ通信ＩＦ部２４によって管理サーバ装置ＳＶへ送信する。また、例えば監視者等によるＮＣＣボタン３１ｂに対する入力操作によって、ＮＣＣボタン３１ｂでナースコールの解除を受け付けると、ＮＣ解除操作ボタン装置ＮＣＣＢは、ＮＣＣ制御処理部３２ｂによって、自機のＮＣ解除操作ボタンＩＤ等を収容した前記第２操作受付通信信号を生成してＮＣＣ通信ＩＦ部３３ｂを用いてセンサ装置ＳＵへ送信する。そして、この第２操作受付通信信号を受信したセンサ装置ＳＵは、この受信した第２操作受付通信信号に収容されたＮＣ解除操作ボタンＩＤ等を収容した第２操作受付中継通信信号をＳＵ通信ＩＦ部２４によって管理サーバ装置ＳＶへ送信する。
【００６７】
ここで、互いに異なる複数のセンサ装置ＳＵにおける各ＳＵ通信ＩＦ部２４の通信可能範囲がその一部または全部で重複していると、あるいは、１個のＮＣ受付操作ボタン装置ＮＣＲＢにおけるＮＣ通信ＩＦ部３３ａの通信可能範囲内に複数のセンサ装置ＳＵが配置されていると、１個のＮＣ受付操作ボタン装置ＮＣＲＢから送信された前記第１操作受付通信信号は、複数のセンサ装置ＳＵで中継され、これら複数のセンサ装置ＳＵそれぞれで中継された複数の第１操作受付中継通信信号を管理サーバ装置ＳＶで受信される場合が生じ得る。例えば、図２に示す例において、第１１ＮＣ受付操作ボタン装置ＮＣＲＢから送信された１個の前記第１操作受付通信信号は、第１および第３センサ装置ＳＵ−１、ＳＵ−３で中継され、２個の第１操作受付中継通信信号を管理サーバ装置ＳＶで受信される場合が生じ得る。同様に、互いに異なる複数のセンサ装置ＳＵにおける各ＳＵ通信ＩＦ部２４の通信可能範囲がその一部または全部で重複していると、あるいは、１個のＮＣ解除操作ボタン装置ＮＣＣＢにおけるＮＣＣ通信ＩＦ部３３ｂの通信可能範囲内に複数のセンサ装置ＳＵが配置されていると、１個のＮＣ解除操作ボタン装置ＮＣＣＢから送信された前記第２操作受付通信信号は、複数のセンサ装置ＳＵで中継され、これら複数のセンサ装置ＳＵそれぞれで中継された複数の第２操作受付中継通信信号を管理サーバ装置ＳＶで受信される場合が生じ得る。例えば、図２に示す例において、ＮＣ解除操作ボタン装置ＮＣＣＢから送信された１個の前記第２操作受付通信信号は、第２ないし第４センサ装置ＳＵ−２〜ＳＵ−４で中継され、３個の第２操作受付中継通信信号を管理サーバ装置ＳＶで受信される場合が生じ得る。
【００６８】
このため、本実施形態における被監視者監視システムでは、管理サーバ装置ＳＶは、次のように動作している。
【００６９】
図９において、まず、ＳＶ制御処理部１２は、通信信号の受信か否かを判定する（Ｓ１）。この判定の結果、通信信号を受信していない場合には、ＳＶ制御処理部１２は、処理を処理Ｓ１に戻す。すなわち、管理サーバ装置ＳＶは、通信信号の受信を待機している。一方、前記判定の結果、通信信号を受信している場合には、ＳＶ制御処理部１２は、この受信した通信信号の種別（種類）を判定する（Ｓ２）。この判定の結果、この受信した通信信号が第１操作受付中継通信信号（第１操作受付通信信号）である場合や第２操作受付中継通信信号（第２操作受付通信信号）である場合（ＮＣ受付通報、ＮＣ解除通報）には、ＳＶ制御処理部１２は、処理Ｓ３を実行する。一方、前記判定の結果、この受信した通信信号が第１および第２操作受付中継通信信号（第１および第２操作受付通信信号）ではない場合（その他）には、ＳＶ制御処理部１２は、この受信した通信信号に応じた適宜な処理（例えば上述した前記検知行動情報の記憶（記録）処理や前記検知行動通報通信信号の送信処理等）を実行し（Ｓ１１）、処理を処理Ｓ１に戻す。すなわち、管理サーバ装置ＳＶは、通信信号の受信を再び待機する。
【００７０】
処理Ｓ３では、ＳＶ制御処理部１２は、ＳＶ監視処理部１１２によって、処理Ｓ１で受信した通信信号が第１操作受付中継通信信号である場合（ＮＣ受付通報）には、この第１操作受付中継通信信号が既に受信しているか否かを判定し、処理Ｓ１で受信した通信信号が第２操作受付中継通信信号である場合（ＮＣ解除通報）には、この第２操作受付中継通信信号が既に受信しているか否かを判定する。より具体的には、ＳＶ監視処理部１１２は、処理Ｓ１で受信した通信信号が第１操作受付中継通信信号である場合（ＮＣ受付通報）には、通信状況情報記憶部１３２に記憶されている通信状況情報テーブル１３２０における操作受付フィールド１３２１に、処理Ｓ１で受信した第１操作受付中継通信信号に収容されていたＮＣ受付操作ボタンＩＤを登録したレコードが存在するか否かを判定し、処理Ｓ１で受信した通信信号が第２操作受付中継通信信号である場合（ＮＣ解除通報）には、通信状況情報記憶部１３２に記憶されている通信状況情報テーブル１３２０における操作受付フィールド１３２１に、処理Ｓ１で受信した第２操作受付中継通信信号に収容されていたＮＣ解除操作ボタンＩＤを登録したレコードが存在するか否かを判定する。この判定の結果、操作受付フィールド１３２１に、処理Ｓ１で受信した第１操作受付中継通信信号に収容されていたＮＣ受付操作ボタンＩＤを登録したレコードが存在する場合には、ＳＶ監視処理部１２２は、既に第１操作受付中継通信信号を受信していると判定し（Ｙｅｓ）、処理Ｓ４を実行し、一方、操作受付フィールド１３２１に、処理Ｓ１で受信した第１操作受付中継通信信号に収容されていたＮＣ受付操作ボタンＩＤを登録したレコードが存在しない場合には、ＳＶ監視処理部１２２は、既に第１操作受付中継通信信号を受信していないと判定し（Ｎｏ）、処理Ｓ５を実行する。また、この判定の結果、操作受付フィールド１３２１に、処理Ｓ１で受信した第２操作受付中継通信信号に収容されていたＮＣ解除操作ボタンＩＤを登録したレコードが存在する場合には、ＳＶ監視処理部１２２は、既に第２操作受付中継通信信号を受信していると判定し（Ｙｅｓ）、処理Ｓ４を実行し、一方、操作受付フィールド１３２１に、処理Ｓ１で受信した第２操作受付中継通信信号に収容されていたＮＣ解除操作ボタンＩＤを登録したレコードが存在しない場合には、ＳＶ監視処理部１２２は、既に第２操作受付中継通信信号を受信していないと判定し（Ｎｏ）、処理Ｓ５を実行する。
【００７１】
処理Ｓ４では、ＳＶ制御処理部１２は、ＳＶ監視処理部１１２によって、処理Ｓ１で受信した通信信号が第１操作受付中継通信信号である場合（ＮＣ受付通報）には、最初に受信した第１操作受付中継通信信号の受信時刻から所定の第１時間内に受信された通信信号であるか否かを判定し、処理Ｓ１で受信した通信信号が第２操作受付中継通信信号である場合（ＮＣ解除通報）には、最初に受信した第２操作受付中継通信信号の受信時刻から所定の第１時間内に受信された通信信号であるか否かを判定する。より具体的には、ＳＶ監視処理部１１２は、処理Ｓ１で受信した通信信号が第１操作受付中継通信信号である場合（ＮＣ受付通報）には、通信状況情報記憶部１３２に記憶されている通信状況情報テーブル１３２０における操作受付フィールド１３２１に、処理Ｓ１で受信した第１操作受付中継通信信号に収容されていたＮＣ受付操作ボタンＩＤを登録したレコードにおいて、そのタイマー状況フィールド１３２３にフラグ「０」を登録するレコードが存在するか否かを判定し、処理Ｓ１で受信した通信信号が第２操作受付中継通信信号である場合（ＮＣ解除通報）には、通信状況情報記憶部１３２に記憶されている通信状況情報テーブル１３２０における操作受付フィールド１３２１に、処理Ｓ１で受信した第２操作受付中継通信信号に収容されていたＮＣ解除操作ボタンＩＤを登録したレコードにおいて、そのタイマー状況フィールド１３２３にフラグ「０」を登録するレコードが存在するか否かを判定する。この判定の結果、処理Ｓ１で受信した通信信号が第１操作受付中継通信信号である場合（ＮＣ受付通報）において、タイマー状況フィールド１３２３にフラグ「０」を登録するレコードが存在する場合には、ＳＶ監視処理部１２２は、最初に受信した第１操作受付中継通信信号の受信時刻から所定の第１時間内に受信された通信信号であると判定し（Ｙｅｓ）、処理Ｓ７を実行し、一方、タイマー状況フィールド１３２３にフラグ「０」を登録するレコードが存在しない場合（すなわち、タイマー状況フィールド１３２３にフラグ「１」を登録するレコードのみが存在する場合）には、ＳＶ監視処理部１２２は、最初に受信した第１操作受付中継通信信号の受信時刻から所定の第１時間内に受信された通信信号ではないと判定し（Ｎｏ）、処理Ｓ５を実行する。この判定の結果、処理Ｓ１で受信した通信信号が第２操作受付中継通信信号である場合（ＮＣ解除通報）において、タイマー状況フィールド１３２３にフラグ「０」を登録するレコードが存在する場合には、ＳＶ監視処理部１２２は、最初に受信した第２操作受付中継通信信号の受信時刻から所定の第２時間内に受信された通信信号であると判定し（Ｙｅｓ）、処理Ｓ７を実行し、一方、タイマー状況フィールド１３２３にフラグ「０」を登録するレコードが存在しない場合（すなわち、タイマー状況フィールド１３２３にフラグ「１」を登録するレコードのみが存在する場合）には、ＳＶ監視処理部１２２は、最初に受信した第２操作受付中継通信信号の受信時刻から所定の第２時間内に受信された通信信号ではないと判定し（Ｎｏ）、処理Ｓ５を実行する。
【００７２】
処理Ｓ５では、ＳＶ制御処理部１１は、ＳＶ監視処理部１２２によって、処理Ｓ１で受信した通信信号が第１操作受付中継通信信号である場合（ＮＣ受付通報）には、前記ナースコール受付処理を実行し、処理Ｓ１で受信した通信信号が第２操作受付中継通信信号である場合（ＮＣ解除通報）には、前記ナースコール解除処理を実行する。より具体的には、ＳＶ監視処理部１２２は、処理Ｓ１で受信した通信信号が第１操作受付中継通信信号である場合（ＮＣ受付通報）には、通報先情報記憶部１３１に記憶された第２通報先情報テーブル１３１０ｂから、処理Ｓ１で受信した第１操作受付中継通信信号に収容されたＮＣ受付操作ボタンＩＤを通報元フィールド１３１３に登録するレコードを検索し、この検索したレコードにおける通報先フィールド１３１４に登録された端末ＩＤを通報先として取り出し、この取り出した端末ＩＤに対応する端末装置ＳＰ、ＴＡへ、ナースコールを受け付けた旨を表す情報、および、処理Ｓ１で受信した第１操作受付中継通信信号に収容されたＮＣ受付操作ボタンＩＤ等を収容したＮＣ通報報通信信号をＳＶ通信ＩＦ部１１によって送信する。これによってＮＣ受付操作ボタン装置ＮＣＲＢで受け付けたナースコールが通報される。また、ＳＶ監視処理部１２２は、処理Ｓ１で受信した通信信号が第２操作受付中継通信信号である場合（ＮＣ解除通報）には、対応関係情報記憶部１３３に記憶された対応関係情報テーブル１３３０から、処理Ｓ１で受信した第２操作受付中継通信信号に収容されたＮＣ解除操作ボタンＩＤをＮＣ解除操作ボタンフィールド１３３１に登録するレコードを検索し、この検索したレコードにおけるＮＣ受付操作ボタンフィールド１３３２に登録されたＮＣ受付操作ボタンＩＤを取り出し、この取り出したＮＣ受付操作ボタンＩＤを収容した第１操作解除通報通信信号をセンサ装置ＳＵへ送信する。センサ装置ＳＵは、この第１操作解除通報通信信号を受信すると、上述したように、前記第１操作解除通信信号をＳＵ通信ＩＦ部２４によって送信する。これによってＮＣ受付操作ボタン装置ＮＣＲＢで受け付けたナースコールが解除される。
【００７３】
そして、処理Ｓ５の次に、ＳＶ制御処理部１１は、ＳＶ監視処理部１２２によって、処理Ｓ１で受信した通信信号が第１操作受付中継通信信号である場合（ＮＣ受付通報）には、この受信した第１操作受付中継通信信号に関するレコードを対応関係情報テーブル１３３０に作成し、この受信した第１操作受付中継通信信号に関するタイマーをセットし、処理Ｓ１で受信した通信信号が第２操作受付中継通信信号である場合（ＮＣ解除通報）には、この受信した第２操作受付中継通信信号に関するレコードを対応関係情報テーブル１３３０に作成し、この受信した第２操作受付中継通信信号に関するタイマーをセットし、処理を処理Ｓ１に戻す（Ｓ６）。より具体的には、ＳＶ監視処理部１２２は、処理Ｓ１で受信した通信信号が第１操作受付中継通信信号である場合（ＮＣ受付通報）には、前記所定の第１時間を計時するために、この受信した第１操作受付中継通信信号に対する新たなタイマーをＳＶ制御処理部１２に機能的に形成してリスタートし、対応関係情報テーブル１３３０に新たなレコードを作成し、この新たなレコードにおける操作受付フィールド１３２１に、前記受信した第１操作受付中継通信信号に収容されたＮＣ受付操作ボタンＩＤを登録し、前記新たなレコードにおける受信時刻フィールド１３２２に、前記受信した第１操作受付中継通信信号の受信時刻を登録し、前記新たなレコードにおけるタイマー状況フィールド１３２３に、フラグ「０」を登録する。また、ＳＶ監視処理部１２２は、処理Ｓ１で受信した通信信号が第２操作受付中継通信信号である場合（ＮＣ解除通報）には、前記所定の第２時間を計時するために、この受信した第２操作受付中継通信信号に対する新たなタイマーをＳＶ制御処理部１２に機能的に形成してリスタートし、対応関係情報テーブル１３３０に新たなレコードを作成し、この新たなレコードにおける操作受付フィールド１３２１に、前記受信した第２操作受付中継通信信号に収容されたＮＣ解除操作ボタンＩＤを登録し、前記新たなレコードにおける受信時刻フィールド１３２２に、前記受信した第２操作受付中継通信信号の受信時刻を登録し、前記新たなレコードにおけるタイマー状況フィールド１３２３に、フラグ「０」を登録する。
【００７４】
なお、この処理Ｓ６で機能的に形成されたタイマーが前記所定の第１時間を計時してタイムアップすると、ＳＶ監視処理部１２２は、このタイマーに対応するレコードのタイマー状況フィールド１３２３にフラグ「１」を登録し、そして、前記処理Ｓ６で機能的に形成されたタイマーが前記所定の第２時間を計時してタイムアップすると、ＳＶ監視処理部１２２は、このタイマーに対応するレコードのタイマー状況フィールド１３２３にフラグ「１」を登録する。
【００７５】
一方、処理Ｓ７では、ＳＶ制御処理部１１は、ＳＶ監視処理部１２２によって、処理Ｓ１で受信した通信信号が第１操作受付中継通信信号である場合（ＮＣ受付通報）には、ナースコール受付処理を実行せずに、処理Ｓ１で受信した第１操作受付中継通信信号を廃棄し、処理を処理Ｓ１に戻し、処理Ｓ１で受信した通信信号が第２操作受付中継通信信号である場合（ＮＣ解除通報）には、ナースコール解除処理を実行せずに、処理Ｓ１で受信した第２操作受付中継通信信号を廃棄し、処理を処理Ｓ１に戻す。
【００７６】
以上説明したように、本実施形態における被監視者監視システムＭＳ、中央処理装置の一例である管理サーバ装置ＳＶおよびこれに実装された方法は、ＳＶ監視処理部１２２によって、複数の第１操作受付中継通信信号の中に同一のＮＣ受付操作ボタンＩＤを収容する複数の第１操作受付中継通信信号が存在する場合、この中で最初に受信した第１操作受付中継通信信号に対しナースコール受付処理を実行し、残余の第１操作受付中継通信信号に対し前記ナースコール受付処理を実行せず、複数の第２操作受付中継通信信号の中に同一のＮＣ解除受付ボタンＩＤを収容する複数の第２操作受付中継通信信号が存在する場合、この中で最初に受信した第２操作受付中継通信信号に対しナースコール解除処理を実行し、残余の第２操作受付中継通信信号に対し前記ナースコール解除処理を実行しない。したがって、上記被監視者監視システムＭＳ、管理サーバ装置ＳＶおよびこれに実装された方法は、重複した不要な第１操作受付中継通信信号をキャンセルするので、管理サーバ装置ＳＶとＮＣ受付操作ボタン装置ＮＣＲＢとの間における通信回線に無線を含む場合でも、ＮＣ受付操作ボタン装置ＮＣＲＶで受け付けた１回の操作に対し重複した処理を低減でき、また、重複した不要な第２操作受付中継通信信号をキャンセルするので、管理サーバ装置ＳＶとＮＣ解除操作ボタン装置ＮＣＣＢとの間における通信回線に無線を含む場合でも、ＮＣ解除操作ボタン装置ＮＣＣＢで受け付けた１回の操作に対し重複した処理を低減できる。
【００７７】
また、上記被監視者監視システムＭＳ、管理サーバ装置ＳＶおよびこれに実装された方法は、上記キャンセルされる重複した不要な通信信号（第１操作受付中継通信信号や第２操作受付中継通信信号）は、最初の通信信号の受信時刻から所定の時間（第１時間や第２時間）内に受信された通信信号であるので、前記重複した不要な通信信号のキャンセルを前記所定の時間で自動的にリセットでき、新たな所定の操作の通報を受信できるようになる。
【００７８】
そして、被監視者監視システムＭＳの被監視者Ｏｂが看護、介護および介助等を必要としている者である場合、ナースコールの通信は、重要であり、より確実でより適切な通信が求められる。したがって、本実施形態における被監視者監視システムＭＳ、管理サーバ装置ＳＶおよびこれに実装された方法は、このような看護、介護および介助等を必要としている者を被監視者Ｏｂとしている場合に好適で効果的である。
【００７９】
なお、上述の実施形態では、センサ装置ＳＵは、ＮＣ受付操作ボタン装置ＮＣＲＢおよびＮＣ解除操作ボタン装置ＮＣＣＢそれぞれと管理サーバ装置ＳＶとの間における通信内容を中継したが、センサ装置ＳＵは、ＮＣ受付操作ボタン装置ＮＣＲＢおよびＮＣ解除操作ボタン装置ＮＣＣＢそれぞれと管理サーバ装置ＳＶとの間における通信信号そのものを中継し、ＮＣ受付操作ボタン装置ＮＣＲＢおよびＮＣ解除操作ボタン装置ＮＣＣＢそれぞれと管理サーバ装置ＳＶとは、センサ装置ＳＵを介して通信可能に接続されても良い。
【００８０】
また、上述の実施形態において、複数のセンサ装置ＳＵそれぞれは、通信可能に接続される１または複数の操作受付装置（上述の例ではＮＣ受付操作ボタン装置ＮＣＲＢおよびＮＣ解除操作ボタン装置ＮＣＣＢのうちの少なくともいずれか一方）の通信アドレスをＳＵ記憶部２５に予め記憶し、図７に破線で示すように、ＳＵ記憶部２５に記憶された通信アドレスの操作受付装置と通信可能か否かを判定する通信可否判定処理部２３４と、通信可否判定処理部２３４で通信不可と判定された操作受付装置を通報するための通信信号である通信不可通報通信信号を管理サーバ装置ＳＶへ送信する通信不可通報処理部２３５とをＳＵ制御処理部２３に機能的にさらに備えても良い。前記通信アドレスは、例えば端末装置ＳＰ、ＴＡからユーザによって入力され、ＳＵ通信ＩＦ部２４を介してＳＵ記憶部２５に記憶されて良い。また例えば、被監視者監視システムＭＳの設置の際や、稼働後の所定の時間間隔で、センサ装置ＳＵは、通信可能な前記操作受付装置を問い合わせるための通信信号（操作受付装置探索通信信号）を送信してその応答を受信し、この応答のあった前記操作受付装置の通信アドレスをＳＵ記憶部２５に記憶しても良い。通信可否判定処理部２３４は、ＳＵ記憶部２５に記憶された通信アドレスに対し、所定の時間間隔で、通信可能か否かを問い合わせるための通信信号（通信可否問合せ通信信号）を送信し、その受信応答を受信できたか否かによって、ＳＵ記憶部２５に記憶された通信アドレスの操作受付装置と通信可能か否かを判定する。
【００８１】
このような被監視者監視システムＭＳでは、管理サーバ装置ＳＶは、センサ装置ＳＵから前記通信不可通報信号を受信するので、操作受付装置とセンサ装置ＳＵとの間の通信状態を認識できる。
【００８２】
また、上述の実施形態において、複数のセンサ装置ＳＵそれぞれは、通信可能か否かを判定するための通信可否判定時間を外部から取得する通信可否判定時間取得部をさらに備え、ＳＵ記憶部２５は、前記通信可否判定時間取得部で取得された前記通信可否判定時間をさらに記憶し、通信可否判定処理部２３４は、前記通信可否判定時間を超えて通信可能に接続できなかった場合に、前記通信不可と判定しても良い。前記通信可否判定時間取得は、例えば、ＳＵ通信ＩＦ部２４であり、この場合、前記通信可否判定時間は、例えば端末装置ＳＰ、ＴＡからユーザによって入力され、ＳＵ通信ＩＦ部２４を介してＳＵ記憶部２５に記憶される。また例えば、センサ装置ＳＵは、前記通信可否判定時間取得として、例えばディップスイッチやロータリスイッチ等のセンサ側入力部をさらに備えても良い。この場合、前記通信可否判定時間は、前記センサ側入力部からユーザによって入力され、ＳＵ記憶部２５に記憶される。前記通信可否判定処理部２３４は、前記通信可否問合せ通信信号の受信応答を前記通信可否判定時間内に受信できたか否かによって、ＳＵ記憶部２５に記憶された通信アドレスの操作受付装置と通信可能か否かを判定する。
【００８３】
このような被監視者監視システムＭＳは、前記操作受付装置とセンサ装置ＳＵとの間における通信可否の判断を時間（通信可否判定時間）で設定でき、この時間（通信可否判定時間）を取得するので、ユーザの設定が可能となる。
【００８４】
また、上述の実施形態において、管理サーバ装置ＳＶは、前記所定の第１時間および前記所定の第２時間のうちの少なくとも一方を外部から取得する同一判定時間取得部をさらに備え、ＳＶ記憶部１３は、前記同一判定時間取得部で取得された前記所定の第１時間および前記所定の第２時間のうちの少なくとも一方をさらに記憶し、ＳＶ監視処理部１２２は、この取得された前記所定の第１時間および前記所定の第２時間のうちの少なくとも一方で前記タイマーをセットしても良い。
【００８５】
このような被監視者監視システムＭＳは、前記所定の第１時間および前記所定の第２時間のうちの少なくとも一方を設定でき、この前記所定の第１時間および前記所定の第２時間のうちの少なくとも一方を取得するので、ユーザの設定が可能となる。
【００８６】
本明細書は、上記のように様々な態様の技術を開示しているが、そのうち主な技術を以下に纏める。
【００８７】
一態様にかかる中央処理装置は、所定の操作を受け付ける１または複数の操作受付装置と、前記操作受付装置と無線で通信可能に接続され、監視対象である被監視者における所定の行動を検知する複数のセンサ装置と、前記複数のセンサ装置それぞれと通信可能に接続され、前記操作受付装置で受け付けた前記所定の操作が前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムの前記中央処理装置であって、前記所定の操作を通報するための操作受付通報通信信号を受信する通信部と、前記通信部が受信した前記操作受付通報通信信号に基づき前記所定の処理を実行する処理部とを備え、前記操作受付通報通信信号は、前記操作受付装置を特定し識別するための識別子である操作受付ＩＤを収容し、前記処理部は、互いに異なる複数のセンサ装置それぞれを介して前記操作受付通報通信信号を前記通信部によって複数受信した場合であって、前記受信した複数の前記操作受付通報通信信号の中に同一の操作受付ＩＤを収容する複数の前記操作受付通報通信信号が存在する場合、前記同一の操作受付ＩＤを収容する複数の前記操作受付通報通信信号の中で最初に受信した前記操作受付通報通信信号に対し前記所定の処理を実行し、前記同一の操作受付ＩＤを収容する複数の前記操作受付通報通信信号の中の２番目以降に受信した前記操作受付通報通信信号に対し前記所定の処理を実行しない。
【００８８】
他の一態様にかかる中央処理装置は、所定の操作を受け付ける１または複数の操作受付装置と、前記操作受付装置と無線で通信可能に接続され、監視すべき監視対象である被監視者における所定の行動を検知する複数のセンサ装置と、前記複数のセンサ装置それぞれと通信可能に接続され、前記操作受付装置で受け付けた前記所定の操作を前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムの前記中央処理装置であって、前記所定の操作を通報するための通信信号である操作受付通報通信信号は、前記操作受付装置を特定し識別するための識別子である操作受付ＩＤを収容し、通信を行う通信部と、前記所定の処理を実行する処理部とを備え、前記処理部は、互いに異なる複数のセンサ装置それぞれを介して前記操作受付通報通信信号を前記通信部によって複数受信した場合であって、前記受信した複数の前記操作受付通報通信信号の中に同一の操作受付ＩＤを収容する複数の前記操作受付通報通信信号が存在する場合、前記同一の操作受付ＩＤを収容する複数の前記操作受付通報通信信号の中で最初に受信した前記操作受付通報通信信号に対し前記所定の処理を実行し、前記同一の操作受付ＩＤを収容する複数の前記操作受付通報通信信号の中の２番目以降に受信した前記操作受付通報通信信号に対し前記所定の処理を実行しない。好ましくは、上述の中央処理装置において、前記操作受付装置は、前記所定の操作としてナースコールを受け付けるナースコール受付操作ボタン装置であり、前記処理部は、前記所定の処理として、前記ナースコール受付操作ボタン装置で前記ナースコールを受け付けたことを通報するための通信信号であるナースコール受付通報通信信号を前記通信部で受信した場合に、前記受信したナースコール受付通報通信信号の前記ナースコール受付操作ボタン装置でナースコールを受け付けたことを外部に通報（再通報、転送、送信）する。好ましくは、上述の中央処理装置において、ナースコールを受け付けるナースコール受付操作ボタン装置とナースコールの受付を解除するナースコール解除操作ボタン装置とを対応付けた対応関係を表す対応関係情報を記憶する記憶部をさらに備え、前記操作受付装置は、前記所定の操作としてナースコールの解除を受け付けるナースコール解除操作ボタン装置であり、前記処理部は、前記所定の処理として、前記ナースコール解除操作ボタン装置で前記ナースコールの解除を受け付けたことを通報するための通信信号であるナースコール解除通報通信信号を前記通信部で受信した場合に、前記受信したナースコール解除通信信号の前記ナースコール解除操作ボタン装置に対応するナースコール受付操作ボタン装置を前記記憶部に記憶された前記対応関係情報から選定し、前記選定したナースコール受付操作ボタン装置に対応するナースコールの受付を解除する。好ましくは、上述の中央処理装置において、ナースコールを受け付けるナースコール受付操作ボタン装置とナースコールの受付を解除するナースコール解除操作ボタン装置とを対応付けた対応関係を表す対応関係情報を記憶する記憶部をさらに備え、前記操作受付装置は、前記所定の操作としてナースコールを受け付ける前記ナースコール受付操作ボタン装置である第１操作受付装置と、前記所定の操作としてナースコールの解除を受け付けるナースコール解除操作ボタン装置である第２操作受付装置とを備えて成り、前記処理部は、前記ナースコール受付操作ボタン装置で前記ナースコールを受け付けたことを通報するための通信信号であるナースコール受付通報通信信号を前記通信部で受信した場合に、前記受信したナースコール受付通報通信信号の前記ナースコール受付操作ボタン装置でナースコールを受け付けたことを外部に通報（再通報、転送、送信）し、前記ナースコール解除操作ボタン装置で前記ナースコールの解除を受け付けたことを通報するための通信信号であるナースコール解除通報通信信号を前記通信部で受信した場合に、前記受信したナースコール解除通信信号の前記ナースコール解除操作ボタン装置に対応するナースコール受付操作ボタン装置を前記記憶部に記憶された前記対応関係情報から選定し、前記選定したナースコール受付操作ボタン装置に対応するナースコールの受付を解除する。
【００８９】
このような中央処理装置は、処理部によって、前記受信した複数の操作受付通報通信信号の中に同一の操作受付ＩＤを収容する複数の操作受付通報通信信号が存在する場合、この中で最初に受信した操作受付通報通信信号に対し所定の処理を実行し、残余の操作受付通報通信信号に対し前記所定の処理を実行しない。したがって、このような中央処理装置は、重複した不要な操作受付通報通信信号をキャンセルするので、中央処理装置と操作受付装置との間の通信回線に無線を含む場合でも、操作受付装置で受け付けた１回の操作に対し重複した処理を低減できる。
【００９０】
他の一態様では、これら上述の中央処理装置において、前記同一の操作受付ＩＤを収容する複数の前記操作受付通報通信信号は、前記最初に受信した前記操作受付通報通信信号の受信時刻から所定の時間内に受信された通信信号である。
【００９１】
このような中央処理装置では、上記キャンセルされる重複した不要な操作受付通報通信信号は、最初の操作受付通報通信信号の受信時刻から所定の時間内に受信された通信信号であるので、前記重複した不要な操作受付通報通信信号のキャンセルを前記所定の時間で自動的にリセットでき、新たな所定の操作の通報を受信できるようになる。
【００９２】
他の一態様にかかる中央処理方法は、所定の操作を受け付ける１または複数の操作受付装置と、前記操作受付装置と無線で通信可能に接続され、監視対象である被監視者における所定の行動を検知する複数のセンサ装置と、前記複数のセンサ装置それぞれと通信可能に接続され、前記操作受付装置で受け付けた前記所定の操作が前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムの中央処理方法であって、前記所定の操作を通報するための操作受付通報通信信号を受信する通信工程と、前記通信工程で受信した前記操作受付通報通信信号に基づき前記所定の処理を実行する処理工程とを備え、前記操作受付通報通信信号は、前記操作受付装置を特定し識別するための識別子である操作受付ＩＤを収容し、前記処理工程は、互いに異なる複数のセンサ装置それぞれを介して前記操作受付通報通信信号を前記通信工程によって複数受信した場合であって、前記受信した複数の前記操作受付通報通信信号の中に同一の操作受付ＩＤを収容する複数の前記操作受付通報通信信号が存在する場合、前記同一の操作受付ＩＤを収容する複数の前記操作受付通報通信信号の中で最初に受信した前記操作受付通報通信信号に対し前記所定の処理を実行し、前記同一の操作受付ＩＤを収容する複数の前記操作受付通報通信信号の中の２番目以降に受信した前記操作受付通報通信信号に対し前記所定の処理を実行しない。
【００９３】
他の一態様にかかる中央処理方法は、所定の操作を受け付ける１または複数の操作受付装置と、前記操作受付装置と無線で通信可能に接続され、監視すべき監視対象である被監視者における所定の行動を検知する複数のセンサ装置と、前記複数のセンサ装置それぞれと通信可能に接続され、前記操作受付装置で受け付けた前記所定の操作を前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムの中央処理方法であって、通信を行う通信工程と、前記所定の処理を実行する処理工程とを備え、前記所定の操作を通報するための通信信号である操作受付通報通信信号は、前記操作受付装置を特定し識別するための識別子である操作受付ＩＤを収容し、前記処理工程は、互いに異なる複数のセンサ装置それぞれを介して前記操作受付通報通信信号を前記通信工程によって複数受信した場合であって、前記受信した複数の前記操作受付通報通信信号の中に同一の操作受付ＩＤを収容する複数の前記操作受付通報通信信号が存在する場合、前記同一の操作受付ＩＤを収容する複数の前記操作受付通報通信信号の中で最初に受信した前記操作受付通報通信信号に対し前記所定の処理を実行し、前記同一の操作受付ＩＤを収容する複数の前記操作受付通報通信信号の中の２番目以降に受信した前記操作受付通報通信信号に対し前記所定の処理を実行しない。
【００９４】
このような中央処理方法は、処理工程によって、前記受信した複数の操作受付通報通信信号の中に同一の操作受付ＩＤを収容する複数の操作受付通報通信信号が存在する場合、この中で最初に受信した操作受付通報通信信号に対し所定の処理を実行し、残余の操作受付通報通信信号に対し前記所定の処理を実行しない。したがって、このような中央処理方法は、重複した不要な操作受付通報通信信号をキャンセルするので、この中央処理方法を実装した装置と操作受付装置との間の通信回線に無線を含む場合でも、操作受付装置で受け付けた１回の操作に対し重複した処理を低減できる。
【００９５】
他の一態様にかかる被監視者監視システムは、所定の操作を受け付ける１または複数の操作受付装置と、前記操作受付装置と無線で通信可能に接続され、監視すべき監視対象である被監視者における所定の行動を検知する複数のセンサ装置と、前記複数のセンサ装置それぞれと通信可能に接続され、前記操作受付装置で受け付けた前記所定の操作を前記センサ装置を介して通報された場合に前記所定の操作に対応する所定の処理を実行し、前記センサ装置から通報された前記被監視者における前記所定の行動に関する検知行動情報を管理する中央処理装置とを備える被監視者監視システムであって、前記中央処理装置は、これら上述のいずれかの中央処理装置である。
【００９６】
このような被監視者監視システムは、これら上述のいずれかの中央処理装置を備えるので、中央処理装置と操作受付装置との間の通信回線に無線を含む場合でも、操作受付装置で受け付けた１回の操作に対し重複した処理を低減できる。
【００９７】
他の一態様では、上述の被監視者監視システムにおいて、前記複数のセンサ装置それぞれは、通信可能に接続される１または複数の操作受付装置の通信アドレスを記憶する記憶部と、前記記憶部に記憶された通信アドレスの操作受付装置と通信可能か否かを判定する通信可否判定処理部と、前記通信可否判定処理部で通信不可と判定された操作受付装置を通報するための通信信号である通信不可通報通信信号を前記中央処理装置へ送信する通信不可通報処理部とを備える。
【００９８】
このような被監視者監視システムでは、中央処理装置は、センサ装置から前記通信不可通報信号を受信するので、操作受付装置とセンサ装置との間の通信状態を認識できる。
【００９９】
他の一態様では、上述の被監視者監視システムにおいて、前記複数のセンサ装置それぞれは、通信可能か否かを判定するための通信可否判定時間を外部から取得する通信可否判定時間取得部をさらに備え、前記記憶部は、前記通信可否判定時間取得部で取得された前記通信可否判定時間をさらに記憶し、前記通信可否判定処理部は、前記通信可否判定時間を超えて通信可能に接続できなかった場合に、前記通信不可と判定する。
【０１００】
このような被監視者監視システムは、操作受付装置とセンサ装置との間における通信可否の判断を時間（通信可否判定時間）で設定でき、この時間（通信可否判定時間）を取得するので、ユーザの設定が可能となる。
【０１０１】
この出願は、２０１５年８月２４日に出願された日本国特許出願特願２０１５−１６５０７７を基礎とするものであり、その内容は、本願に含まれるものである。
【０１０２】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１０３】
本発明によれば、被監視者監視システムの中央処理装置およびその中央処理方法ならびに被監視者監視システムが提供できる。
【図１】
2017033851.tif 000003
【図２】
2017033851.tif 000004
【図３】
2017033851.tif 000005
【図４】
2017033851.tif 000006
【図５】
2017033851.tif 000007
【図６】
2017033851.tif 000008
【図７】
2017033851.tif 000009
【図８】
2017033851.tif 000010
【図９】
2017033851.tif 000011
【国際調査報告】
2017033851.tif 000012
2017033851.tif 000013
2017033851.tif 000014
2017033851.tif 000015